(57)【特許請求の範囲】
【請求項１】
遊技に関する制御を行う制御回路を搭載した制御基板と、
前記制御基板を収容する基板ケースと、を備えた遊技台であって、
前記基板ケースは、前記制御基板を収容した基板収容部と、該基板収容部に比べて破断容易な破断容易部とを有しているものであり、
前記破断容易部は、第一の仮想直線に沿って設けられた第一の溝および第二の溝と、該第一の仮想直線の延びる方向とは異なる方向に延びる第二の仮想直線に沿って設けられた第三の溝および第四の溝とを有しているものであり、
前記第一の溝は、前記第二の仮想直線に対して前記第二の溝の反対側に設けられたものであり、
前記第三の溝は、前記第一の仮想直線に対して前記第四の溝の反対側に設けられたものであり、
前記第一の溝および前記第二の溝の端部のうち対向する端部側が接続されて一本の貫通溝（以下、「第一の貫通溝」という。）が形成され、
前記第三の溝および前記第四の溝の端部のうち対向する端部側が接続されて一本の貫通溝（以下、「第二の貫通溝」という。）が形成され、
前記破断容易部は、前記第一の貫通溝と前記第二の貫通溝とが交差して形成された交差部を有しているものであり、
前記第一の貫通溝および前記第二の貫通溝の各溝の断面形状は、Ｖ字形状であり、
前記交差部の中心は、Ｖ字形状の前記第一の貫通溝とＶ字形状の前記第二の貫通溝とが交差して形成された交差点に位置しているものであることを特徴とする遊技台。
【請求項２】
遊技に関する制御を行う制御回路を搭載した制御基板と、
前記制御基板を収容する基板ケースと、を備えた遊技台であって、
前記基板ケースは、前記制御基板を収容した基板収容部と、該基板収容部に比べて破断容易な破断容易部とを有しているものであり、
前記破断容易部は、第一の仮想直線に沿って設けられた第一の溝および第二の溝と、該第一の仮想直線の延びる方向とは異なる方向に延びる第二の仮想直線に沿って設けられた第三の溝および第四の溝とを有しているものであり、
前記第一の溝は、前記第二の仮想直線に対して前記第二の溝の反対側に設けられたものであり、
前記第三の溝は、前記第一の仮想直線に対して前記第四の溝の反対側に設けられたものであり、
前記第一の溝は、前記第二の溝と対向する第一の対向端部を有しているものであり、
前記第二の溝は、前記第一の溝と対向する第二の対向端部を有しているものであり、
前記破断容易部は、前記第一の対向端部と前記第二の対向端部との間に、溝が形成されておらず表面が平坦な第一の平坦部を有しているものであり、
前記第三の溝は、前記第四の溝と対向する第三の対向端部を有しているものであり、
前記第四の溝は、前記第三の溝と対向する第四の対向端部を有しているものであり、
前記破断容易部は、前記第三の対向端部と前記第四の対向端部との間に、溝が形成されておらず表面が平坦な第二の平坦部を有しているものであることを特徴とする遊技台。
【発明の詳細な説明】
【技術分野】
【０００１】
本発明は、回胴遊技機（スロットマシン）あるいは弾球遊技機（パチンコ機）に代表される遊技台に関する。
【背景技術】
【０００２】
従来、遊技台の一つとして、例えば、スロットマシンが知られている。
スロットマシンは、遊技に関する制御を行う制御基板を有し、制御基板を封止することで、制御基板への不正行為がされることを防いでいる（例えば、特許文献１）。
【先行技術文献】
【特許文献】
【０００３】
【特許文献１】特開２０１４−１８０５１５号公報
【発明の概要】
【発明が解決しようとする課題】
【０００４】
しかし、特許文献１に示す封止方法では、不正の痕跡を残すことなく制御基板への不正が行われるおそれがあった。
【０００５】
本発明の目的は、従来の封止方法よりも不正の痕跡を残しやすい遊技台を提供することにある。
【課題を解決するための手段】
【０００６】
上記目的は、
遊技に関する制御を行う制御回路を搭載した制御基板と、
前記制御基板を収容する基板ケースと、を備えた遊技台であって、
前記基板ケースは、前記制御基板を収容した基板収容部と、該基板収容部に比べて破断容易な破断容易部とを有しているものであり、
前記破断容易部は、第一の仮想直線に沿って設けられた第一の溝および第二の溝と、該第一の仮想直線の延びる方向とは異なる方向に延びる第二の仮想直線に沿って設けられた第三の溝および第四の溝とを有しているものであり、
前記第一の溝は、前記第二の仮想直線に対して前記第二の溝の反対側に設けられたものであり、
前記第三の溝は、前記第一の仮想直線に対して前記第四の溝の反対側に設けられたものであり、
前記第一の溝および前記第二の溝の端部のうち対向する端部側が接続されて一本の貫通溝（以下、「第一の貫通溝」という。）が形成され、
前記第三の溝および前記第四の溝の端部のうち対向する端部側が接続されて一本の貫通溝（以下、「第二の貫通溝」という。）が形成され、
前記破断容易部は、前記第一の貫通溝と前記第二の貫通溝とが交差して形成された交差部を有しているものであり、
前記第一の貫通溝および前記第二の貫通溝の各溝の断面形状は、Ｖ字形状であり、
前記交差部の中心は、Ｖ字形状の前記第一の貫通溝とＶ字形状の前記第二の貫通溝とが交差して形成された交差点に位置しているものであることを特徴とする遊技台
によって達成される。
また、上記目的は、
遊技に関する制御を行う制御回路を搭載した制御基板と、
前記制御基板を収容する基板ケースと、を備えた遊技台であって、
前記基板ケースは、前記制御基板を収容した基板収容部と、該基板収容部に比べて破断容易な破断容易部とを有しているものであり、
前記破断容易部は、第一の仮想直線に沿って設けられた第一の溝および第二の溝と、該第一の仮想直線の延びる方向とは異なる方向に延びる第二の仮想直線に沿って設けられた第三の溝および第四の溝とを有しているものであり、
前記第一の溝は、前記第二の仮想直線に対して前記第二の溝の反対側に設けられたものであり、
前記第三の溝は、前記第一の仮想直線に対して前記第四の溝の反対側に設けられたものであり、
前記第一の溝は、前記第二の溝と対向する第一の対向端部を有しているものであり、
前記第二の溝は、前記第一の溝と対向する第二の対向端部を有しているものであり、
前記破断容易部は、前記第一の対向端部と前記第二の対向端部との間に、溝が形成されておらず表面が平坦な第一の平坦部を有しているものであり、
前記第三の溝は、前記第四の溝と対向する第三の対向端部を有しているものであり、
前記第四の溝は、前記第三の溝と対向する第四の対向端部を有しているものであり、
前記破断容易部は、前記第三の対向端部と前記第四の対向端部との間に、溝が形成されておらず表面が平坦な第二の平坦部を有しているものであることを特徴とする遊技台
によって達成される。
【発明の効果】
【０００７】
本発明によれば、不正の痕跡を残しやすい遊技台を実現できる。
【図面の簡単な説明】
【０００８】
【図１】本発明の一実施の形態によるスロットマシン１００を正面側（遊技者側）から見た外観斜視図である。
【図２】本発明の一実施の形態によるスロットマシン１００の前面扉１０２を開けた状態のスロットマシン１００を示す正面図である。
【図３】本発明の一実施の形態によるスロットマシン１００の制御部の回路ブロック図である。
【図４】（ａ）本発明の一実施の形態によるスロットマシン１００の各リール（左リール１１０、中リール１１１、右リール１１２）に施される図柄の配列を平面的に展開して示した図である。（ｂ）本発明の一実施の形態によるスロットマシン１００の入賞役（作動役を含む）の種類、各入賞役に対応する図柄組合せ、各入賞役の作動または払出を示す図である。
【図５】本発明の一実施の形態によるスロットマシン１００の主制御部３００のメイン処理の流れを示すフローチャートである。
【図６】本発明の一実施の形態によるスロットマシン１００の主制御部３００が行うタイマ割込み処理の流れを示すフローチャートである。
【図７】本発明の一実施の形態によるスロットマシン１００の第１副制御部での処理の流れを説明する図であって、（ａ）は、第１副制御部４００のＣＰＵ４０４が実行するメイン処理のフローチャートであり、（ｂ）は、第１副制御部４００のコマンド受信割込処理のフローチャートであり、（ｃ）は、第１副制御部４００のタイマ割込処理のフローチャートである。
【図８】本発明の一実施の形態によるスロットマシン１００の第２副制御部５００での処理の流れを説明する図であって、（ａ）は、第２副制御部５００のＣＰＵ５０４が実行するメイン処理のフローチャートである。（ｂ）は、第２副制御部５００のコマンド受信割込処理のフローチャートである。（ｃ）は、第２副制御部５００のタイマ割込処理のフローチャートである。（ｄ）は、第２副制御部５００の画像制御処理のフローチャートである。
【図９】本発明の一実施の形態によるスロットマシン１００の前面扉１０２の後面に取り付けられる副制御基板収納ケース２２０を右後上から左前下に向かって見た外観斜視図である。
【図１０】本発明の一実施の形態によるスロットマシン１００の前面扉１０２の後面に取り付けられる副制御基板収納部２２３と基板を左後上から右前下に向かって見た分解斜視図である。
【図１１】本発明の一実施の形態によるスロットマシン１００の第一の破断容易部７１１と第二の破断容易部７６１が副制御基板収納部２２３に固定される状態を右後上から左前下に向かって見た外観斜視図である。
【図１２】本発明の一実施の形態の実施例１によるスロットマシン１００の第一の破断容易部７１１を説明する図であって、（ａ）は第一の破断容易部７１１を上から下に向かって見た正面図であり、（ｂ）は第一の破断容易部７１１を下から上に向かって見た背面図であり、（ｃ）は第一の破断容易部７１１を前から後に向かって見た側面図である。
【図１３】本発明の一実施の形態の実施例１によるスロットマシン１００の第一の破断容易部７１１を説明する図であって、（ａ）は、図１２（ａ）の実線で示す楕円ａ内の領域を拡大して示した部分拡大図であり、（ｂ）は、図１２（ａ）のＡ−Ａ線で第一の破断容易部７１１を切断して矢印方向に見た断面図（端面図）である。
【図１４】第一の破断容易部７１１と第二の破断容易部７６１が貼り付けられていない副制御基板収納部２２３を説明する図であって、（ａ）は、ベース部材２２３ａの上側の周縁部の先端部と蓋部材２２３ｂの上側の周縁部の先端部の接触部にドライバＤが差し込まれた副制御基板収納部２２３を右後上から左前下に向かって見た外観斜視図である。（ｂ）は、（ａ）の実線で示す楕円ｂ内の領域を拡大して示した部分拡大図である。
【図１５】本発明の一実施の形態の実施例１によるスロットマシン１００の第一の破断容易部７１１で得られる効果を説明する図であって、（ａ）は、第一の破断容易部７１１を上から下に向かって見た正面図である。（ｂ）は、（ａ）の実線で示す円ｃ内の領域が破断した状態を拡大して示した部分拡大図である。（ｃ）は、第一の破断容易部７１１の破断した領域を整えた状態を示す部分拡大図である。
【図１６】本発明の一実施の形態の実施例２によるスロットマシン１００の第一の破断容易部７１１について説明する図であって、（ａ）は、第一の破断容易部７１１を上から下に向かって見た正面図である。（ｂ）は、（ａ）の実線で示す楕円ｄ内の領域を拡大して示した部分拡大図である。（ｃ）は、（ａ）のＢ−Ｂ線で第一の破断容易部７１１を切断して矢印方向に見た断面図である。
【図１７】本発明の一実施の形態の実施例３によるスロットマシン１００の第二の破断容易部７６１について説明する図であって、（ａ）は、第二の破断容易部７６１を右から左に向かって見た正面図である。（ｂ）は、第二の破断容易部７６１を左から右に向かって見た背面図である。（ｃ）は、第二の破断容易部７６１を後から前に向かって見た側面図である。（ｄ）は、（ａ）の実線で示す楕円ｅ内の領域を拡大して示した部分拡大図である。
【図１８】本発明の一実施の形態の実施例３によるスロットマシン１００の第二の破断容易部７６１の断面形状について説明する図であって、（ａ）は、第二の破断容易部７６１の露出面側の一部を示している。（ｂ）は、（ａ）のＣ−Ｃ線で第二の破断容易部７６１を切断して矢印方向に見た断面図である。
【図１９】本発明の一実施の形態の実施例３によるスロットマシン１００の第二の破断容易部７６１による効果について説明する図であって、（ａ）は、図１７（ａ）の実線で示す楕円ｅ内の領域が破断した状態を拡大して示した部分拡大図である。（ｂ）は、第二の破断容易部７６１の破断した領域を整えた状態を示す部分拡大図である。
【図２０】本発明の一実施の形態の実施例３によるスロットマシン１００の変形例に係る第二の破断容易部の溝の形状を説明する図であって、（ａ）は、実施例３の変形例１に係る第二の破断容易部９６１の溝の形状を示す図である。（ｂ）は、実施例３の変形例２に係る第二の破断容易部１７６１の溝の形状を示す図である。（ｃ）は、実施例３の変形例３に係る第二の破断容易部８６１の露出面側の一部を示している。（ｄ）は、（ｃ）のＤ−Ｄ線で第二の破断容易部８６１を切断して矢印方向に見た断面図である。
【図２１】本発明の一実施の形態の実施例４によるスロットマシン１００の第二の破断容易部７６１について説明する図であって、（ａ）は、第二の破断容易部７６１を右から左に向かって見た正面図であり、第二の破断容易部７６１の副制御基板収納部２２３に対面する表面とは反対の露出面側を示している。（ｂ）は、（ａ）の実線で示す楕円ｆ内の領域を拡大して示した部分拡大図である。（ｃ）は、（ｂ）のＥ−Ｅ線で第二の破断容易部７６１を切断して矢印方向に見た断面図である。
【図２２】本発明の一実施の形態の実施例５によるスロットマシン１００の第三の破断容易部について説明する図であり、（ａ）〜（ｃ）は、実施例１による第一の破断容易部７１１を示し、（ｄ）〜（ｆ）は、実施例３による第二の破断容易部７７３を示し、（ｇ）は、本実施例による第三の破断容易部８００を示している。
【図２３】本発明の一実施の形態の変形例による遊技台としてのパチンコ機１０００を正面側（遊技者側）から見た外観斜視図である。
【図２４】本発明の一実施の形態の変形例による遊技台としてのパチンコ機１０００を背面側から見た外観図である。
【発明を実施するための形態】
【０００９】
以下、図面を用いて、本発明の一実施の形態に係る遊技台（例えば、スロットマシン１００等の回胴遊技機や弾球遊技機）について詳細に説明する。まず、図１を用いてスロットマシン１００の基本構成を説明する。図１は、スロットマシン１００を正面側（遊技者側）から見た外観斜視図である。
【００１０】
図１に示すスロットマシン１００は、本体１０１と、本体１０１の正面に取り付けられ、本体１０１に対して開閉可能な前面扉１０２と、を備える。本体１０１の中央内部（図示省略）には、外周面に複数種類の図柄が配置されたリールが３個（左リール１１０、中リール１１１、右リール１１２）収納され、スロットマシン１００の内部で回転できるように構成されている。これらのリール１１０〜１１２はステッピングモータ等の駆動装置により回転駆動される。
【００１１】
本実施形態において、各図柄は帯状部材に等間隔で適当数印刷され、この帯状部材が所定の円形筒状の枠材に貼り付けられて各リール１１０〜１１２が構成されている。リール１１０〜１１２上の図柄は、遊技者から見ると、図柄表示窓１１３から縦方向に概ね３つ表示され、合計９つの図柄が見えるようになっている。そして、各リール１１０〜１１２を回転させることにより、遊技者から見える図柄の組み合せが変動することとなる。つまり、各リール１１０〜１１２は複数種類の図柄の組合せを変動可能に表示する表示装置として機能する。なお、このような表示装置としてはリール以外にも液晶表示装置等の電子画像表示装置も採用できる。また、本実施形態では、３個のリールをスロットマシン１００の中央内部に備えているが、リールの数やリールの設置位置はこれに限定されるものではない。
【００１２】
各々のリール１１０〜１１２の背面には、図柄表示窓１１３に表示される個々の図柄を照明するためのバックライト（図示省略）が配置されている。バックライトは、各々の図柄ごとに遮蔽されて個々の図柄を均等に照射できるようにすることが望ましい。なお、スロットマシン１００内部において各々のリール１１０〜１１２の近傍には、投光部と受光部から成る光学式センサ（図示省略）が設けられており、この光学式センサの投光部と受光部の間をリールに設けられた一定の長さの遮光片が通過するように構成されている。このセンサの検出結果に基づいてリール上の図柄の回転方向の位置を判断し、目的とする図柄が入賞ライン上に表示されるようにリール１１０〜１１２を停止させる。
【００１３】
入賞ライン表示ランプ１２０は、有効となる入賞ライン１１４を示すランプである。有効となる入賞ラインは、遊技媒体としてベットされたメダルの数によって予め定まっている。入賞ライン１１４は５ラインあり、例えば、メダルが１枚ベットされた場合、中段の水平入賞ラインが有効となり、メダルが２枚ベットされた場合、上段水平入賞ラインと下段水平入賞ラインが追加された３本が有効となり、メダルが３枚ベットされた場合、右下り入賞ラインと右上り入賞ラインが追加された５ラインが入賞ラインとして有効になる。なお、入賞ライン１１４の数については５ラインに限定されるものではなく、また、例えば、メダルが１枚ベットされた場合に、中段の水平入賞ライン、上段水平入賞ライン、下段水平入賞ライン、右下り入賞ラインおよび右上り入賞ラインの５ラインを有効な入賞ラインとして設定してもよく、ベット数に関係なく、一律に同一数の入賞ラインを有効な入賞ラインとして設定してもよい。
【００１４】
告知ランプ１２３は、例えば、後述する内部抽選において特定の入賞役（具体的には、ボーナス）に内部当選していること、または、ボーナス遊技中であることを遊技者に知らせるランプである。遊技メダル投入可能ランプ１２４は、遊技者が遊技メダルを投入可能であることを知らせるためのランプである。再遊技ランプ１２２は、前回の遊技において入賞役の一つである再遊技に入賞した場合に、今回の遊技が再遊技可能であること（メダルの投入が不要であること）を遊技者に知らせるランプである。リールパネルランプ１２８は演出用のランプである。
【００１５】
ベットボタン１３０〜１３２は、スロットマシン１００に電子的に貯留されているメダル（クレジットという）を所定の枚数分投入するためのボタンである。本実施形態においては、ベットボタン１３０が押下される毎に１枚ずつ最大３枚まで投入され、ベットボタン１３１が押下されると２枚投入され、ベットボタン１３２が押下されると３枚投入されるようになっている。以下、ベットボタン１３２はＭＡＸベットボタンとも言う。なお、遊技メダル投入ランプ１２９は、投入されたメダル数に応じた数のランプを点灯させ、規定枚数のメダルの投入があった場合、遊技の開始操作が可能な状態であることを知らせる遊技開始ランプ１２１が点灯する。
【００１６】
メダル投入口１４１は、遊技を開始するに当たって遊技者がメダルを投入するための投入口である。すなわち、メダルの投入は、ベットボタン１３０〜１３２により電子的に投入することもできるし、メダル投入口１４１から実際のメダルを投入（投入操作）することもでき、投入とは両者を含む意味である。貯留枚数表示器１２５は、スロットマシン１００に電子的に貯留されているメダルの枚数を表示するための表示器である。遊技情報表示器１２６は、各種の内部情報（例えば、ボーナス遊技中のメダル払出枚数）を数値で表示するための表示器である。払出枚数表示器１２７は、何らかの入賞役に入賞した結果、遊技者に払出されるメダルの枚数を表示するための表示器である。貯留枚数表示器１２５、遊技情報表示器１２６、および払出枚数表示器１２７は、７セグメント（ＳＥＧ）表示器とした。
【００１７】
スタートレバー１３５は、リール１１０〜１１２の回転を開始させるためのレバー型のスイッチである。即ち、メダル投入口１４１に所望するメダル枚数を投入するか、ベットボタン１３０〜１３２を操作して、スタートレバー１３５を操作すると、リール１１０〜１１２が回転を開始することとなる。スタートレバー１３５に対する操作を遊技の開始操作と言う。
【００１８】
ストップボタンユニット１３６には、ストップボタン１３７〜１３９が設けられている。ストップボタン１３７〜１３９は、スタートレバー１３５の操作によって回転を開始したリール１１０〜１１２を個別に停止させるためのボタン型のスイッチであり、各リール１１０〜１１２に対応づけられている。以下、ストップボタン１３７〜１３９に対する操作を停止操作と言い、最初の停止操作を第１停止操作、次の停止操作を第２停止操作、最後の停止操作を第３停止操作という。なお、各ストップボタン１３７〜１３９の内部に発光体を設けてもよく、ストップボタン１３７〜１３９の操作が可能である場合、該発光体を点灯させて遊技者に知らせることもできる。
【００１９】
メダル返却ボタン１３３は、投入されたメダルが詰まった場合に押下してメダルを取り除くためのボタンである。精算ボタン１３４は、スロットマシン１００に電子的に貯留されたメダル、ベットされたメダルを精算し、メダル払出口１５５から排出するためのボタンである。ドアキー孔１４０は、スロットマシン１００の前面扉１０２のロックを解除するためのキーを挿入する孔である。
【００２０】
ストップボタンユニット１３６の下部には、機種名の表示と各種証紙の貼付とを行うタイトルパネル１６２が設けられている。タイトルパネル１６２の下部には、メダル払出口１５５、メダルの受け皿１６１が設けられている。
【００２１】
音孔１８０はスロットマシン１００内部に設けられているスピーカの音を外部に出力するための孔である。前面扉１０２の左右各部に設けられたサイドランプ１４４は遊技を盛り上げるための装飾用のランプである。前面扉１０２の上部には演出装置１６０が配設されており、演出装置１６０の上部には音孔１４３が設けられている。この演出装置１６０は、水平方向に開閉自在な２枚の右シャッタ１６３ａ、左シャッタ１６３ｂからなるシャッタ（遮蔽装置）１６３と、このシャッタ１６３の奥側に配設された液晶表示装置１５７（演出画像表示装置）を備えており、右シャッタ１６３ａ、左シャッタ１６３ｂが液晶表示装置１５７の手前で水平方向外側に開くと液晶表示装置１５７の表示画面がスロットマシン１００正面（遊技者側）に出現する構造となっている。なお、液晶表示装置でなくとも、種々の演出画像や種々の遊技情報を表示可能な表示装置であればよく、例えば、複数セグメントディスプレイ（７セグディスプレイ）、ドットマトリクスディスプレイ、有機ＥＬディスプレイ、プラズマディスプレイ、リール（ドラム）、或いは、プロジェクタとスクリーンとからなる表示装置等でもよい。また、表示画面は、方形をなし、その全体を遊技者が視認可能に構成している。本実施形態の場合、表示画面は長方形であるが、正方形でもよい。また、表示画面の周縁に不図示の装飾物を設けて、表示画面の周縁の一部が該装飾物に隠れる結果、表示画面が異形に見えるようにすることもできる。表示画面は本実施形態の場合、平坦面であるが、曲面をなしていてもよい。
【００２２】
図２は、前面扉１０２を開けた状態のスロットマシン１００を示す正面図である。本体１０１は、上面板２６１、左側の側面板２６０、右側の側面板２６０、下面板２６４および背面板２４２で囲われ、前面に開口する箱体である。本体１０１の内部には、背面板２４２の上部に設けた通風口２４９と重ならない位置に、内部に主制御基板を収納した主制御基板収納ケース２１０が配置され、この主制御基板収納ケース２１０の下方に、３つのリール１１０〜１１２が配置されている。また、向かって右側の側面板２６０には、主制御基板に接続されて、スロットマシン１００の情報を外部装置に出力する外部集中端子板２４８が取り付けられている。
【００２３】
そして、下面板２６４には、メダル払出装置２８０（バケットに溜まったメダルを払出す装置）が配設され、このメダル払出装置２８０の上方、即ちリール１１０〜１１２の下方には、電源基板を有する電源装置２５２が配設され、電源装置２５２正面には電源スイッチ２４４を配設している。電源装置２５２は、スロットマシン１００に外部から供給される交流電源を直流化し、所定の電圧に変換して後述する主制御部３００、副制御部４００、５００等の各制御部、各装置に供給する。さらには、外部からの電源が断たれた後も所定の部品（例えば主制御部３００のＲＡＭ３０８等）に所定の期間（例えば１０日間）電源を供給するための蓄電回路（例えばコンデンサ）を備えている。
【００２４】
メダル払出装置２８０の右側には、メダル補助収納庫２４０が配設してあり、この背後にはオーバーフロー端子が配設されている（図示省略）。電源装置２５２には、電源コード２６５を接続する電源コード接続部が設けられ、ここに接続された電源コード２６５が、本体１０１の背面板２４２に開設した電源コード用穴２６２を通して外部に延出している。
【００２５】
前面扉１０２は、本体１０１の左側の側面板２６０にヒンジ装置２７６を介して蝶着され、図柄表示窓１１３の上部には、第１副制御部４００を構成する第１副基板２２２と第２副制御部５００を構成する第２副基板２２４とを収納する副制御基板収納ケース２２０と、上部スピーカ２７２と、を設けている。第１副基板２２２は、主制御部３００が生成した処理情報に基づいて演出に関する制御処理を行う第１副制御部４００を構成するものである。また、第２副基板２２４は、第１副制御部４００が生成した処理情報に基づいて演出に関する制御処理を行う第２副制御部５００を構成するものである。副制御基板収納ケース２２０には、第２副基板２２４により制御される演出装置１６０も収納されている。副制御基板収納ケース２２０の上側面には、不正行為防止用の第一の破断容易部７１１が固定されている。左側面にも不正行為防止用の第二の破断容易部７６１が固定されている。図柄表示窓１１３の下部には、投入されたメダルを選別するためのメダルセレクタ１７０、このメダルセレクタ１７０が不正なメダル等をメダル受皿１６１に落下させる際にメダルが通過する通路２６６等を設けている。さらに、音孔１８０に対応する位置には低音スピーカ２７７を設けている。
【００２６】
次に、図３を用いて、スロットマシン１００の制御部の回路構成について詳細に説明する。なお、同図は制御部の回路ブロック図を示したものである。
【００２７】
スロットマシン１００の制御部は、大別すると、遊技の進行を制御する主制御部３００と、主制御部３００が送信するコマンド信号（以下、単に「コマンド」と呼ぶ）に応じて、主な演出の制御を行う第１副制御部４００と、第１副制御部４００より送信されたコマンドに基づいて各種機器を制御する第２副制御部５００と、によって構成されている。
【００２８】
＜主制御部＞
まず、スロットマシン１００の主制御部３００について説明する。主制御部３００は、主制御部３００の全体を制御する基本回路３０２を備えており、この基本回路３０２には、ＣＰＵ３０４と、制御プログラムデータ、入賞役の内部抽選時に用いる抽選データ、リールの停止位置等を記憶するためのＲＯＭ３０６と、一時的にデータを記憶するためのＲＡＭ３０８と、各種デバイスの入出力を制御するためのＩ／Ｏ３１０と、時間や回数等を計測するためのカウンタタイマ３１２と、ＷＤＴ（ウォッチドックタイマ）３１４を搭載している。なお、ＲＯＭ３０６やＲＡＭ３０８については他の記憶装置を用いてもよく、この点は後述する第１副制御部４００や第２副制御部５００についても同様である。この基本回路３０２のＣＰＵ３０４は、水晶発振器３１４が出力する所定周期のクロック信号をシステムクロックとして入力して動作する。さらには、ＣＰＵ３０４は、電源が投入されるとＲＯＭ３０６の所定エリアに格納された分周用のデータをカウンタタイマ３１２に送信し、カウンタタイマ３１２は受信した分周用のデータを基に割り込み時間を決定し、この割り込み時間ごとに割り込み要求をＣＰＵ３０４に送信する。ＣＰＵ３０４は、この割込み要求を契機に各センサ等の監視や駆動パルスの送信を実行する。例えば、水晶発振器３１４が出力するクロック信号を８ＭＨｚ、カウンタタイマ３１２の分周値を１／２５６、ＲＯＭ３０６の分周用のデータを４７に設定した場合、割り込みの基準時間は、２５６×４７÷８ＭＨｚ＝１．５０４ｍｓとなる。
【００２９】
主制御部３００は、０〜６５５３５の範囲で数値を変動させるハードウェア乱数カウンタとして使用している乱数発生回路３１６と、電源が投入されると起動信号（リセット信号）を出力する起動信号出力回路３３８を備えており、ＣＰＵ３０４は、この起動信号出力回路３３８から起動信号が入力された場合に、遊技制御を開始する（後述する主制御部メイン処理を開始する）
【００３０】
また、主制御部３００には、センサ回路３２０を備えており、ＣＰＵ３０４は、割り込み時間ごとに各種センサ３１８（ベットボタン１３０センサ、ベットボタン１３１センサ、ベットボタン１３２センサ、メダル投入口１４１から投入されたメダルのメダル受付センサ、スタートレバー１３５センサ、ストップボタン１３７センサ、ストップボタン１３８センサ、ストップボタン１３９センサ、精算ボタン１３４センサ、メダル払出装置２８０から払い出されるメダルのメダル払出センサ、リール１１０のインデックスセンサ、リール１１１のインデックスセンサ、リール１１２のインデックスセンサ、等）の状態を監視している。
【００３１】
なお、センサ回路３２０がスタートレバーセンサのＨレベルを検出した場合には、この検出を示す信号を乱数発生回路３１６に出力する。この信号を受信した乱数発生回路３１６は、そのタイミングにおける値をラッチし、抽選に使用する乱数値を格納するレジスタに記憶する。
【００３２】
メダル受付センサは、メダル投入口１４１の内部通路に２個設置されており、メダルの通過有無を検出する。スタートレバー１３５センサは、スタートレバー１３５内部に２個設置されており、遊技者によるスタート操作を検出する。ストップボタン１３７センサ、ストップボタン１３８センサ、およびストップボタン１３９は、各々のストップボタン１３７〜１３９に設置されており、遊技者によるストップボタンの操作を検出する。
【００３３】
ベットボタン１３０センサ、ベットボタン１３１センサ、およびベットボタン１３２センサは、メダル投入ボタン１３０〜１３２のそれぞれに設置されており、ＲＡＭ３０８に電子的に貯留されているメダルを遊技への投入メダルとして投入する場合の投入操作を検出する。精算ボタン１３４センサは、精算ボタン１３４に設けられている。精算ボタン１３４が一回押されると、電子的に貯留されているメダルを精算する。メダル払出センサは、メダル払出装置２８０が払い出すメダルを検出するためのセンサである。なお、以上の各センサは、非接触式のセンサであっても接点式のセンサであってもよい。
【００３４】
リール１１０のインデックスセンサ、リール１１１のインデックスセンサ、およびリール１１２のインデックスセンサは、各リール１１０〜１１２の取付台の所定位置に設置されており、リールフレームに設けた遮光片が通過するたびにＬレベルになる。ＣＰＵ３０４は、この信号を検出すると、リールが１回転したものと判断し、リールの回転位置情報をゼロにリセットする。
【００３５】
主制御部３００は、リール装置１１０〜１１２に設けたステッピングモータを駆動する駆動回路３２２、投入されたメダルを選別するメダルセレクタ１７０に設けたソレノイドを駆動する駆動回路３２４、メダル払出装置２８０に設けたモータを駆動する駆動回路３２６、各種ランプ３３６（入賞ライン表示ランプ１２０、告知ランプ１２３、遊技メダル投入可能ランプ１２４、再遊技ランプ１２２、遊技メダル投入ランプ１２９、遊技開始ランプ１２１、貯留枚数表示器１２５、遊技情報表示器１２６、払出枚数表示器１２７）を駆動する駆動回路３２８を備えている。
【００３６】
また、基本回路３０２には、情報出力回路３３４（外部集中端子板２４８）を接続しており、主制御部３００は、この情報出力回路３３４を介して、外部のホールコンピュータ（図示省略）等が備える情報入力回路６５２にスロットマシン１００の遊技情報（例えば、遊技状態）を出力する。
【００３７】
また、主制御部３００は、電源管理部（図示しない）から主制御部３００に供給している電源の電圧値を監視する電圧監視回路３３０を備えており、電圧監視回路３３０は、電源の電圧値が所定の値（本実施例では９ｖ）未満である場合に電圧が低下したことを示す低電圧信号を基本回路３０２に出力する。
【００３８】
また、主制御部３００は、第１副制御部４００にコマンドを送信するための出力インタフェースを備えており、第１副制御部４００との通信を可能としている。なお、主制御部３００と第１副制御部４００との情報通信は一方向の通信であり、主制御部３００は第１副制御部４００にコマンド等の信号を送信できるように構成しているが、第１副制御部４００からは主制御部３００にコマンド等の信号を送信できないように構成している。
【００３９】
＜副制御部＞
次に、スロットマシン１００の第１副制御部４００について説明する。第１副制御部４００は、主制御部３００が送信した制御コマンドを入力インタフェースを介して受信し、この制御コマンドに基づいて第１副制御部４００の全体を制御する基本回路４０２を備えており、この基本回路４０２は、ＣＰＵ４０４と、一時的にデータを記憶するためのＲＡＭ４０８と、各種デバイスの入出力を制御するためのＩ／Ｏ４１０と、時間や回数等を計測するためのカウンタタイマ４１２を搭載している。基本回路４０２のＣＰＵ４０４は、水晶発振器４１４が出力する所定周期のクロック信号をシステムクロックとして入力して動作する。ＲＯＭ４０６は、第１副制御部４００の全体を制御するための制御プログラム及びデータ、バックライトの点灯パターンや各種表示器を制御するためのデータ等を記憶する。
【００４０】
ＣＰＵ４０４は、所定のタイミングでデータバスを介してＲＯＭ４０６の所定エリアに格納された分周用のデータをカウンタタイマ４１２に送信する。カウンタタイマ４１２は、受信した分周用のデータを基に割り込み時間を決定し、この割り込み時間ごとに割り込み要求をＣＰＵ４０４に送信する。ＣＰＵ４０４は、この割込み要求のタイミングをもとに、各ＩＣや各回路を制御する。
【００４１】
また、第１副制御部４００には、音源ＩＣ４１８を設けており、音源ＩＣ４１８に出力インタフェースを介してスピーカ２７２、２７７を設けている。音源ＩＣ４１８は、ＣＰＵ４０４からの命令に応じてアンプおよびスピーカ２７２、２７７から出力する音声の制御を行う。音源ＩＣ４１８には音声データが記憶されたＳ−ＲＯＭ（サウンドＲＯＭ）が接続されており、このＲＯＭから取得した音声データをアンプで増幅させてスピーカ２７２、２７７から出力する。
【００４２】
また、第１副制御部４００には、駆動回路４２２が設けられ、駆動回路４２２に入出力インタフェースを介して各種ランプ４２０（上部ランプ、下部ランプ、サイドランプ１４４、タイトルパネル１６２ランプ、等）が接続されている。
【００４３】
また、ＣＰＵ４０４は、出力インタフェースを介して第２副制御部５００へ信号の送受信を行う。第２副制御部５００は、演出画像表示装置１５７の表示制御を含む演出装置１６０の各種制御を行う。なお、第２副制御部５００は、例えば、液晶表示装置１５７の表示の制御を行う制御部、各種演出用駆動装置の制御を行う制御部（例えば、シャッタ１６３のモータ駆動を制御する制御部）とするなど、複数の制御部で構成するようにしてもよい。
【００４４】
第２副制御部５００は、第１副制御部４００が送信した制御コマンドを入力インタフェースを介して受信し、この制御コマンドに基づいて第２副制御部５００の全体を制御する基本回路５０２を備えており、この基本回路５０２は、ＣＰＵ５０４と、一時的にデータを記憶するためのＲＡＭ５０８と、各種デバイスの入出力を制御するためのＩ／Ｏ５１０と、時間や回数等を計測するためのカウンタタイマ５１２と、を搭載している。基本回路５０２のＣＰＵ５０４は、水晶発振器５１４が出力する所定周期のクロック信号をシステムクロックとして入力して動作する。ＲＯＭ５０６は、第２副制御部５００の全体を制御するための制御プログラム及びデータ、画像表示用のデータ等を記憶する。
【００４５】
ＣＰＵ５０４は、所定のタイミングでデータバスを介してＲＯＭ５０６の所定エリアに格納された分周用のデータをカウンタタイマ５１２に送信する。カウンタタイマ５１２は、受信した分周用のデータを基に割り込み時間を決定し、この割り込み時間ごとに割り込み要求をＣＰＵ４０４に送信する。ＣＰＵ５０４は、この割込み要求のタイミングをもとに、各ＩＣや各回路を制御する。
【００４６】
また、第２副制御部５００には、シャッタ１６３のモータを駆動する駆動回路５３０を設けており、駆動回路５３０には出力インタフェースを介してシャッタ１６３を設けている。この駆動回路５３０は、ＣＰＵ５０４からの命令に応じてシャッタ１６３に設けたステッピングモータ（図示省略）に駆動信号を出力する。
【００４７】
また、第２副制御部５００には、センサ回路５３２を設けており、センサ回路５３２には入力インタフェースを介してシャッタセンサ５３８を接続している。ＣＰＵ５０４は、割り込み時間ごとにシャッタセンサ５３８状態を監視している。
【００４８】
また、第２副制御部５００には、ＶＤＰ５３４（ビデオ・ディスプレイ・プロセッサー）を設けており、このＶＤＰ５３４には、バスを介してＲＯＭ５０６、ＶＲＡＭ５３６が接続されている。ＶＤＰ５３４は、ＣＰＵ５０４からの信号に基づいてＲＯＭ５０６に記憶された画像データ等を読み出し、ＶＲＡＭ５３６のワークエリアを使用して表示画像を生成し、演出画像表示装置１５７に画像を表示する。
【００４９】
図４（ａ）を用いて、上述の各リール１１０〜１１２に施される図柄配列について説明する。なお、同図は、各リール（左リール１１０、中リール１１１、右リール１１２）に施される図柄の配列を平面的に展開して示した図である。
【００５０】
＜図柄配列＞
各リール１１０〜１１２には、同図の右側に示す複数種類（本実施形態では８種類）の図柄が所定コマ数（本実施形態では、番号０〜２０の２１コマ）だけ配置されている。また、同図の左端に示した番号０〜２０は、各リール１１０〜１１２上の図柄の配置位置を示す番号である。例えば、本実施形態では、左リール１１０の番号１のコマには「リプレイ」の図柄、中リール１１１の番号０のコマには「ベル」の図柄、右リール１１２の番号２のコマには「スイカ」の図柄、がそれぞれ配置されている。
【００５１】
＜入賞役の種類＞
次に、図４（ｂ）を用いて、スロットマシン１００の入賞役の種類について説明する。なお、同図は入賞役（作動役を含む）の種類、各入賞役に対応する図柄組合せ、各入賞役の作動または払出を示している。
【００５２】
本実施形態における入賞役のうち、ビッグボーナス（ＢＢ１、ＢＢ２）および、レギュラーボーナス（ＲＢ）はボーナス遊技に移行する役として、また、再遊技（リプレイ）は新たにメダルを投入することなく再遊技が可能となる役として、それぞれ入賞役とは区別され「作動役」と呼ばれる場合があるが、本実施形態における「入賞役」には、作動役である、ビッグボーナス、レギュラーボーナス、再遊技が含まれる。また、本実施形態における「入賞」には、メダルの配当を伴わない（メダルの払い出しを伴わない）作動役の図柄組合せが有効ライン上に表示される場合も含まれ、例えば、ビッグボーナス、レギュラーボーナス、再遊技への入賞が含まれる。
【００５３】
スロットマシン１００の入賞役には、ビッグボーナス（ＢＢ１、ＢＢ２）と、レギュラーボーナス（ＲＢ）と、小役（チェリー、スイカ、ベル）と、再遊技（リプレイ）がある。なお、入賞役の種類は、これに限定されるものではなく、任意に採用できることは言うまでもない。
【００５４】
「ビッグボーナス（ＢＢ１、ＢＢ２）」（以下、単に、「ＢＢ」と称する場合がある）は、入賞により特別遊技であるビッグボーナス遊技（ＢＢ遊技）が開始される特別役（作動役）である。対応する図柄組合せは、ＢＢ１が「白７−白７−白７」、ＢＢ２が「青７−青７−青７」である。また、ＢＢ１、ＢＢ２についてはフラグ持越しを行う。すなわち、ＢＢ１、ＢＢ２に内部当選すると、これを示すフラグが立つ（主制御部３００のＲＡＭ３０８の所定のエリア内に記憶される）が、その遊技においてＢＢ１、ＢＢ２に入賞しなかったとしても、入賞するまで内部当選を示すフラグが立った状態が維持され、次遊技以降でもＢＢ１、ＢＢ２に内部当選中となり、ＢＢ１に対応する図柄組み合わせ「白７−白７−白７」、ＢＢ２に対応する図柄組み合わせ「青７−青７−青７」が、揃って入賞する状態にある。
【００５５】
「レギュラーボーナス（ＲＢ）」は、入賞によりレギュラーボーナス遊技（ＲＢ遊技）が開始される特殊役（作動役）である。対応する図柄組合せは、「ボーナス−ボーナス−ボーナス」である。なお、ＲＢについても上述のＢＢと同様にフラグ持越しを行う。但し、（詳細は後述するが）ビッグボーナス遊技（ＢＢ遊技）においては、レギュラーボーナス遊技（ＲＢ遊技）が内部当選することや、図柄組み合わせが入賞ライン上に表示されること、を開始条件とせずに、ビッグボーナス遊技の開始後からレギュラーボーナス遊技を開始し、１回のレギュラーボーナス遊技を終了した場合には次のレギュラーボーナス遊技をすぐに開始するような自動的にレギュラーボーナス遊技を開始させる設定としてもよい。
【００５６】
「小役（チェリー、スイカ、ベル）」（以下、単に、「チェリー」、「スイカ」、「ベル」と称する場合がある）は、入賞により所定数のメダルが払い出される入賞役で、対応する図柄組合せは、チェリーが「チェリー−ＡＮＹ−ＡＮＹ」、スイカが「スイカ−スイカ−スイカ」、ベルが「ベル−ベル−ベル」である。また、対応する払出枚数は同図に示す通りである。なお、「チェリー−ＡＮＹ−ＡＮＹ」の場合、左リール１１０の図柄が「チェリー」であればよく、中リール１１１と右リール１１２の図柄はどの図柄でもよい。
【００５７】
「再遊技（リプレイ）」は、入賞により次回の遊技でメダル（遊技媒体）の投入を行うことなく遊技を行うことができる入賞役（作動役）であり、メダルの払出は行われない。なお、対応する図柄組合せは、再遊技は「リプレイ−リプレイ−リプレイ」である。
【００５８】
＜遊技状態の種類＞
次に、スロットマシン１００の遊技状態の種類について説明する。遊技状態とは、抽選などにおいて選択する抽選データの種別を識別するための情報である。本実施形態では、スロットマシン１００の遊技状態は、通常遊技と、ＢＢ遊技と、ＲＢ遊技と、ビッグボーナス（ＢＢ）およびレギュラーボーナス（ＲＢ）の内部当選遊技と、に大別した。但し、内部当選遊技は、通常遊技に含まれる区分けであってもよい。
【００５９】
＜通常遊技＞
通常遊技に内部当選する入賞役には、ビッグボーナス（ＢＢ）と、レギュラーボーナス（ＲＢ）と、再遊技（リプレイ）と、小役（チェリー、スイカ、ベル）がある。
【００６０】
「ビッグボーナス（ＢＢ）」は、入賞により特別遊技であるビッグボーナス遊技（ＢＢ遊技）が開始される特別役（作動役）である。レギュラーボーナス（ＲＢ）」は、入賞によりレギュラーボーナス遊技（ＲＢ遊技）を開始する特殊役（作動役）である。「再遊技（リプレイ）」は、入賞により次回の遊技でメダルの投入を行うことなく遊技を行うことができる入賞役（作動役）であり、メダルの払出も行われない。「小役」は、入賞により所定数のメダルが払い出される入賞役である。なお、各々の役の内部当選確率は、通常遊技に用意された抽選データから、各々の役に対応付けされた抽選データの範囲に該当する数値データを、内部抽選時に取得される乱数値の範囲の数値データ（例えば６５５３５）で除した値で求められる。通常遊技に用意された抽選データは、予めいくつかの数値範囲に分割され、各数値範囲に各々の役やハズレを対応付けしている。内部抽選を実行した結果得られた乱数値が、何れの役に対応する抽選データに対応する値であったかを判定し、内部抽選役を決定する。この抽選データは少なくとも１つの役の当選確率を異ならせた設定１〜設定６が用意され、遊技店の係員等はいずれかの設定値を任意に選択し、設定することができる。
【００６１】
通常遊技は、内部抽選の結果が概ねハズレ（ビッグボーナス（ＢＢ）、レギュラーボーナス（ＲＢ）、再遊技（リプレイ）および小役に当選していない）となる設定、又は、停止表示結果がいずれの役の図柄組合せに該当しないハズレの停止表示結果が概ね導出される設定がされており、獲得するメダルの総数が、投入したメダルの総数に満たない遊技状態になっている。よって、遊技者にとっては不利益となる遊技状態である。但し、予め定めた条件を満たした場合（例えば、特定の図柄組み合わせが表示された場合）には、再遊技の内部当選の確率を上昇させる変動をさせてもよい遊技状態であり、この場合、遊技に用いられるメダルの消費が抑えられ、小役の入賞によって所定数のメダルが払い出されることにより、獲得するメダルの総数が、投入したメダルの総数を超える遊技状態になり、遊技者にとっては利益となる遊技状態になる場合がある。
【００６２】
＜ＢＢ遊技＞
ＢＢ遊技は、遊技者にとっては利益となる遊技状態になるように設定されている。つまり、ＢＢ遊技は、獲得するメダルの総数が、投入したメダルの総数を超える遊技状態となる。ＢＢ遊技は、本実施形態では、ビッグボーナス（ＢＢ）の入賞により開始され、ＲＢ遊技（後述する）を連続して繰り返し実行可能になっており、遊技中に予め定められた一の数（例えば、４６５枚）を超えるメダルが獲得された場合に終了する。但し、ＢＢ遊技はＲＢ遊技を複数回数実行可能であればよく、例えば、ＲＢ遊技を開始する役（図柄組み合わせは例えば、リプレイ−リプレイ−リプレイ）を設定し、この役が内部当選した場合、または、入賞した場合に、ＲＢ遊技を開始するように設定してもよい。さらには、ＢＢ遊技は、ＢＢ遊技中のＲＢ遊技を除くＢＢ一般遊技を予め定めた回数（例えば、３０回）実行した場合、または、ＢＢ遊技中に実行したＲＢ遊技の回数が予め定めた回数に達した場合（例えば、３回）に終了するようにしてもよい。
【００６３】
＜ＲＢ遊技＞
ＲＢ遊技は、遊技者にとっては利益となる遊技状態になるように設定されている。つまり、ＲＢ遊技は、獲得するメダルの総数が、投入したメダルの総数を超える遊技状態となる。ＲＢ遊技は、本実施形態では、レギュラーボーナス（ＲＢ）の入賞により開始され、予め定めた一の役が内部当選の確率を上昇させる変動（例えば、「設定１」「通常遊技」に設定された「小役１」の内部当選確率１／１５を、予め定めた一の値である内部当選確率１／１．２に上昇させる）をし、予め定めた一の数（例えば、８回）の入賞があった場合に終了する。ＲＢ遊技は、予め定めた回数（少なくとも２回）の入賞があった場合（例えば、８回）、または、ＲＢ遊技中に実行したＲＢ遊技の回数が予め定めた回数に達した場合（例えば、８回）に終了するようにしてもよい。上述したＢＢ遊技は、ＲＢ遊技を複数回数実行可能であるので、一回のＲＢ遊技を行った場合には、ＢＢ遊技で得られるメダルの総数よりも少ないメダル数を獲得して終了することとなる。
【００６４】
＜ビッグボーナス（ＢＢ）およびレギュラーボーナス（ＲＢ）の内部当選遊技＞
ビッグボーナス（ＢＢ）およびレギュラーボーナス（ＲＢ）の内部当選遊技に内部当選する入賞役には、再遊技（リプレイ）と、小役がある。ビッグボーナス（ＢＢ）およびレギュラーボーナス（ＲＢ）は内部当選することはなく、ビッグボーナス（ＢＢ）かレギュラーボーナス（ＲＢ）に対応する図柄組み合わせを入賞させることが可能となっている遊技状態である。
【００６５】
但し、ビッグボーナス（ＢＢ）およびレギュラーボーナス（ＲＢ）に内部当選した次遊技から、再遊技の内部当選の確率を変動させてもよく、例えば、再遊技の内部当選の確率を上昇させる変動をさせて、ビッグボーナス（ＢＢ）およびレギュラーボーナス（ＲＢ）対応する図柄組み合わせが入賞するまでの間は、獲得するメダルの総数が、投入したメダルの総数とほぼ同じとなる遊技状態とし、通常遊技と比べると遊技者にとっては利益となる遊技状態としてもよい。なお、ＢＢ遊技、ＲＢ遊技は両者とも遊技者にとって利益となる遊技状態であるため、総じて、ボーナス遊技、又は、特別遊技と称する場合がある。
【００６６】
＜主制御部メイン処理＞
図５を用いて、主制御部３００のＣＰＵ３０４が実行する主制御部メイン処理について説明する。なお、同図は主制御部メイン処理の流れを示すフローチャートである。
【００６７】
上述したように、主制御部３００には、電源が投入されると起動信号（リセット信号）を出力する起動信号出力回路（リセット信号出力回路）３３８を設けている。この起動信号を入力した基本回路３０２のＣＰＵ３０４は、リセット割込によりリセットスタートしてＲＯＭ３０６に予め記憶している制御プログラムに従って図５に示す主制御部メイン処理を実行する。
【００６８】
電源投入が行われると、まず、ステップＳ１０１で各種の初期設定を行う。この初期設定では、ＣＰＵ３０４のスタックポインタ（ＳＰ）へのスタック初期値の設定、割込禁止の設定、Ｉ／Ｏ３１０の初期設定、ＲＡＭ３０８に記憶する各種変数の初期設定、ＷＤＴ３１４への動作許可及び初期値の設定等を行う。ステップＳ１０３ではメダル投入・スタート操作受付処理を実行する。ここではメダルの投入の有無をチェックし、メダルの投入に応じて入賞ライン表示ランプ１２０を点灯させる。なお、前回の遊技で再遊技に入賞した場合は、前回の遊技で投入されたメダル枚数と同じ数のメダルを投入する処理を行うので、遊技者によるメダルの投入が不要となる。また、スタートレバー１３５が操作されたか否かのチェックを行い、スタートレバー１３５の操作があればステップＳ１０５へ進む。
【００６９】
ステップＳ１０５では投入されたメダル枚数を確定し、有効な入賞ラインを確定する。ステップＳ１０７では乱数発生回路３１６で発生させた乱数を取得する。ステップＳ１０９では、現在の遊技状態に応じてＲＯＭ３０６に格納されている入賞役抽選テーブルを読み出し、これとステップＳ１０７で取得した乱数値とを用いて内部抽選を行う。内部抽選の結果、いずれかの入賞役（作動役を含む）に内部当選した場合、その入賞役のフラグがＯＮになる。ステップＳ１１１では内部抽選結果に基づき、リール停止データを選択する。
【００７０】
ステップＳ１１３では全リール１１０〜１１２の回転を開始させる。ステップＳ１１５では、ストップボタン１３７〜１３９の受け付けが可能になり、いずれかのストップボタンが押されると、押されたストップボタンに対応するリール１１０〜１１２の何れかをステップＳ１１１で選択したリール停止制御データに基づいて停止させる。全リール１１０〜１１２が停止するとステップＳ１１７へ進む。ステップＳ１１７では、入賞判定を行う。ここでは、有効化された入賞ライン１１４上に、何らかの入賞役に対応する絵柄組合せが表示された場合にその入賞役に入賞したと判定する。例えば、有効化された入賞ライン上に「ベル−ベル−ベル」が揃っていたならばベル入賞と判定する。ステップＳ１１９では払い出しのある何らかの入賞役に入賞していれば、その入賞役に対応する枚数のメダルを入賞ライン数に応じて払い出す。ステップＳ１２１では遊技状態制御処理を行う。遊技状態制御処理では、通常遊技、ＢＢ遊技、ＲＢ遊技、内部当選遊技、の各遊技状態の移行に関する処理を行い、それらの開始条件、終了条件の成立により、遊技状態を移行する。以上により１ゲームが終了する。以降ステップＳ１０３へ戻って上述した処理を繰り返すことにより遊技が進行することになる。
【００７１】
＜主制御部３００タイマ割込処理＞
図６を用いて、主制御部３００のＣＰＵ３０４が実行する主制御部タイマ割込処理について説明する。なお、同図は主制御部タイマ割込処理の流れを示すフローチャートである。
【００７２】
主制御部３００は、所定の周期（本実施形態では約２ｍｓに１回）でタイマ割込信号を発生するカウンタタイマ３１２を備えており、このタイマ割込信号を契機として主制御部タイマ割込処理を所定の周期で開始する。
【００７３】
ステップＳ２０１では、タイマ割込開始処理を行う。このタイマ割込開始処理では、ＣＰＵ３０４の各レジスタの値をスタック領域に一時的に退避する処理などを行う。
【００７４】
ステップＳ２０３では、ＷＤＴ３１４のカウント値が初期設定値（本実施形態では３２．８ｍｓ）を超えてＷＤＴ割込が発生しないように（処理の異常を検出しないように）、ＷＤＴ３１４を定期的に（本実施形態では、主制御部タイマ割込の周期である約２ｍｓに１回）リスタートを行う。
【００７５】
ステップＳ２０５では、入力ポート状態更新処理を行う。この入力ポート状態更新処理では、Ｉ／Ｏ３１０の入力ポートを介して、各種センサ３１８のセンサ回路３２０の検出信号を入力して検出信号の有無を監視し、ＲＡＭ３０８に各種センサ３１８ごとに区画して設けた信号状態記憶領域に記憶する。
【００７６】
ステップＳ２０７では、各種遊技処理を行う。具体的には、割込みステータスを取得し（各種センサ３１８からの信号に基づいて各種割込みステータスを取得する）、このステータスに従った処理を行う（例えば、取得した各ストップボタン１３７〜１３９の割込みステータスに基づいて、停止ボタン受付処理を行う）。
【００７７】
ステップＳ２０９では、タイマ更新処理を行う。各種タイマをそれぞれの時間単位により更新する。
【００７８】
ステップＳ２１１では、コマンド設定送信処理を行い、各種のコマンドが第１副制御部４００に送信される。なお、第１副制御部４００に送信する出力予定情報は本実施形態では１６ビットで構成しており、ビット１５はストローブ情報（オンの場合、データをセットしていることを示す）、ビット１１〜１４はコマンド種別（本実施形態では、基本コマンド、スタートレバー受付コマンド、演出抽選処理に伴う演出コマンド、リール１１０〜１１２の回転を開始に伴う回転開始コマンド、ストップボタン１３７〜１３９の操作の受け付けに伴う停止ボタン受付コマンド、リール１１０〜１１２の停止処理に伴う停止位置情報コマンド、メダル払出処理に伴う払出枚数コマンド及び払出終了コマンド、遊技状態を示すコマンド等）、ビット０〜１０はコマンドデータ（コマンド種別に対応する所定の情報）で構成されている。
【００７９】
第１副制御部４００では、受信した出力予定情報に含まれるコマンド種別により、主制御部３００における遊技制御の変化に応じた演出制御の決定が可能になるとともに、出力予定情報に含まれているコマンドデータの情報に基づいて、演出制御内容を決定することができるようになる。
【００８０】
ステップＳ２１３では、外部出力信号設定処理を行う。この外部出力信号設定処理では、ＲＡＭ３０８に記憶している遊技情報を、情報出力回路３３４を介してスロットマシン１００とは別体の情報入力回路６５２に出力する。
【００８１】
ステップＳ２１５では、デバイス監視処理を行う。このデバイス監視処理では、まずはステップＳ２０５において信号状態記憶領域に記憶した各種センサ３１８の信号状態を読み出して、メダル投入異常及びメダル払出異常等に関するエラーの有無を監視し、エラーを検出した場合には（図示省略）エラー処理を実行させる。さらに、現在の遊技状態に応じて、メダルセレクタ１７０（メダルセレクタ１７０内に設けたソレノイドが動作するメダルブロッカ）、各種ランプ３３６、各種の７セグメント（ＳＥＧ）表示器の設定を行う。
【００８２】
ステップＳ２１７では、低電圧信号がオンであるか否かを監視する。そして、低電圧信号がオンの場合（電源の遮断を検知した場合）にはステップＳ２２１に進み、低電圧信号がオフの場合（電源の遮断を検知していない場合）にはステップＳ２１９に進む。
【００８３】
ステップＳ２１９では、タイマ割込終了処理を終了する各種処理を行う。このタイマ割込終了処理では、ステップＳ２０１で一時的に退避した各レジスタの値を元の各レジスタに設定等行う。その後、図５に示す主制御部メイン処理に復帰する。
【００８４】
一方、ステップＳ２２１では、復電時に電断時の状態に復帰するための特定の変数やスタックポインタを復帰データとしてＲＡＭ３０８の所定の領域に退避し、入出力ポートの初期化等の電断処理を行い、その後、図５に示す主制御部メイン処理に復帰する。
【００８５】
＜第１副制御部４００の処理＞
図７を用いて、第１副制御部４００の処理について説明する。なお、図７（ａ）は、第１副制御部４００のＣＰＵ４０４が実行するメイン処理のフローチャートである。図７（ｂ）は、第１副制御部４００のコマンド受信割込処理のフローチャートである。図７（ｃ）は、第１副制御部４００のタイマ割込処理のフローチャートである。
【００８６】
まず、図７（ａ）のステップＳ３０１では、各種の初期設定を行う。電源投入が行われると、まずステップＳ３０１で初期化処理が実行される。この初期化処理では、入出力ポートの初期設定や、ＲＡＭ４０８内の記憶領域の初期化処理等を行う。
【００８７】
ステップＳ３０３では、タイマ変数が１０以上か否かを判定し、タイマ変数が１０となるまでこの処理を繰り返し、タイマ変数が１０以上となったときには、ステップＳ３０５の処理に移行する。
ステップＳ３０５では、タイマ変数に０を代入する。
【００８８】
ステップＳ３０７では、コマンド処理を行う。コマンド処理では第１副制御部４００のＣＰＵ４０４は、主制御部３００からコマンドを受信したか否かを判別する。
【００８９】
ステップＳ３０９では、演出制御処理を行う。例えば、ステップＳ３０７で新たなコマンドがあった場合には、このコマンドに対応する処理を行う。この処理には、例えば、演出データをＲＯＭ４０６から読み出す等の処理を行い、演出データの更新が必要な場合には演出データの更新処理を行うことが含まれる。
【００９０】
ステップＳ３１１では、ステップ３０９の処理結果に基づいて音制御処理を行う。例えば、ステップＳ３０９で読み出した演出データの中に音源ＩＣ４１８への命令がある場合には、この命令を音源ＩＣ４１８に出力する。
【００９１】
ステップＳ３１３では、ステップ３０９の処理結果に基づいてランプ制御処理を行う。例えば、ステップＳ３０９で読み出した演出データの中に各種ランプ４２０への命令がある場合には、この命令を駆動回路４２２に出力する。
【００９２】
ステップＳ３１５では、ステップ３０９の処理結果に基づいて第２副制御部５００に制御コマンドを送信する設定を行う情報出力処理を行う。例えば、ステップＳ３０９で読み出した演出データの中に第２副制御部５００に送信する制御コマンドがある場合には、この制御コマンドを出力する設定を行い、ステップＳ３０３へ戻る。
【００９３】
次に、図７（ｂ）を用いて、第１副制御部４００のコマンド受信割込処理について説明する。このコマンド受信割込処理は、第１副制御部４００が、主制御部３００が出力するストローブ信号を検出した場合に実行する処理である。コマンド受信割込処理のステップＳ４０１では、主制御部３００が出力したコマンドを未処理コマンドとしてＲＡＭ４０８に設けたコマンド記憶領域に記憶する。
【００９４】
次に、図７（ｃ）を用いて、第１副制御部４００のＣＰＵ４０４によって実行する第１副制御部タイマ割込処理について説明する。第１副制御部４００は、所定の周期（本実施形態では２ｍｓに１回）でタイマ割込を発生するハードウェアタイマを備えており、このタイマ割込を契機として、タイマ割込処理を所定の周期で実行する。
【００９５】
ステップＳ５０１では、図７（ａ）に示す第１副制御部メイン処理におけるステップＳ３０３において説明したＲＡＭ４０８のタイマ変数記憶領域の値に、１を加算して元のタイマ変数記憶領域に記憶する。従って、ステップＳ３０３において、タイマ変数の値が１０以上と判定されるのは２０ｍｓ毎（２ｍｓ×１０）となる。
【００９６】
ステップＳ５０３では、ステップＳ３１５で設定された第２副制御部５００への制御コマンドの送信や、演出用乱数値の更新処理等を行う。
【００９７】
＜第２副制御部５００の処理＞
図８を用いて、第２副制御部５００の処理について説明する。なお、図８（ａ）は、第２副制御部５００のＣＰＵ５０４が実行するメイン処理のフローチャートである。図８（ｂ）は、第２副制御部５００のコマンド受信割込処理のフローチャートである。図８（ｃ）は、第２副制御部５００のタイマ割込処理のフローチャートである。図８（ｄ）は、第２副制御部５００の画像制御処理のフローチャートである。
【００９８】
まず、図８（ａ）のステップＳ６０１では、各種の初期設定を行う。電源投入が行われると、まずステップＳ６０１で初期化処理が実行される。この初期化処理では、入出力ポート初期設定や、ＲＡＭ５０８内の記憶領域の初期化処理等を行う。
【００９９】
ステップＳ６０３では、タイマ変数が１０以上か否かを判定し、タイマ変数が１０となるまでこの処理を繰り返し、タイマ変数が１０以上となったときには、ステップＳ６０５の処理に移行する。
ステップＳ６０５では、タイマ変数に０を代入する。
【０１００】
ステップＳ６０７では、コマンド処理を行う。コマンド処理では第２副制御部５００のＣＰＵ５０４は、第１副制御部４００のＣＰＵ４０４からコマンドを受信したか否かを判別する。
【０１０１】
ステップＳ６０９では、演出制御処理を行う。例えば、ステップＳ６０７で新たなコマンドがあった場合には、このコマンドに対応する処理を行う。この処理には、例えば、演出データをＲＯＭ５０６から読み出す等の処理を行い、演出データの更新が必要な場合には演出データの更新処理を行うことが含まれる。
【０１０２】
ステップＳ６１１では、ステップＳ６０９の処理結果に基づいてシャッタ制御処理を行う。例えば、ステップＳ６０９読み出した演出データの中にシャッタ制御の命令がある場合には、この命令に対応するシャッタ制御を行う。
【０１０３】
ステップＳ６１３では、ステップＳ６０９の処理結果に基づいて画像制御処理を行う。例えば、ステップＳ６０９読み出した演出データの中に画像制御の命令がある場合には、この命令に対応する画像制御を行い（詳細は後述する）、ステップＳ６０３へ戻る。
【０１０４】
次に、図８（ｂ）を用いて、第２副制御部５００のコマンド受信割込処理について説明する。このコマンド受信割込処理は、第２副制御部５００が、第１副制御部４００が出力するストローブ信号を検出した場合に実行する処理である。コマンド受信割込処理のステップＳ７０１では、第１副制御部４００が出力したコマンドを未処理コマンドとしてＲＡＭ５０８に設けたコマンド記憶領域に記憶する。
【０１０５】
次に、図８（ｃ）を用いて、第２副制御部５００のＣＰＵ５０４によって実行する第２副制御部タイマ割込処理について説明する。第２副制御部５００は、所定の周期（本実施形態では２ｍｓに１回）でタイマ割込を発生するハードウェアタイマを備えており、このタイマ割込を契機として、タイマ割込処理を所定の周期で実行する。
【０１０６】
ステップＳ８０１では、図８（ａ）に示す第２副制御部メイン処理におけるステップＳ６０３において説明したＲＡＭ５０８のタイマ変数記憶領域の値に、１を加算して元のタイマ変数記憶領域に記憶する。従って、ステップＳ６０３において、タイマ変数の値が１０以上と判定されるのは２０ｍｓ毎（２ｍｓ×１０）となる。ステップＳ８０３では、演出用乱数値の更新処理等を行う。
【０１０７】
次に、図８（ｄ）を用いて、第２副制御部５００のメイン処理におけるステップＳ６１３の画像制御処理について説明する。同図は、画像制御処理の流れを示すフローチャートを示した図である。
【０１０８】
ステップＳ９０１では、画像データの転送指示を行う。ここでは、ＣＰＵ５０４は、まず、ＶＲＡＭ５３６の表示領域Ａと表示領域Ｂの描画領域の指定をスワップする。これにより、描画領域に指定されていない表示領域に記憶された１フレームの画像が演出画像表示装置１５７に表示される。次に、ＣＰＵ５０４は、ＶＤＰ５３４のアトリビュートレジスタに、位置情報等テーブルに基づいてＲＯＭ座標（ＲＯＭ５０６の転送元アドレス）、ＶＲＡＭ座標（ＶＲＡＭ５３６の転送先アドレス）などを設定した後、ＲＯＭ５０６からＶＲＡＭ５３６への画像データの転送開始を指示する命令を設定する。ＶＤＰ５３４は、アトリビュートレジスタに設定された命令に基づいて画像データをＲＯＭ５０６からＶＲＡＭ５３６に転送する。その後、ＶＤＰ５３４は、転送終了割込信号をＣＰＵ５０４に対して出力する。
【０１０９】
ステップＳ９０３では、ＶＤＰ５３４からの転送終了割込信号が入力されたか否かを判定し、転送終了割込信号が入力された場合はステップＳ９０５に進み、そうでない場合は転送終了割込信号が入力されるのを待つ。
【０１１０】
ステップＳ９０５では、演出シナリオ構成テーブルおよびアトリビュートデータなどに基づいて、パラメータ設定を行う。ここでは、ＣＰＵ５０４は、ステップＳ９０１でＶＲＡＭ５３６に転送した画像データに基づいてＶＲＡＭ５３６の表示領域ＡまたはＢに表示画像を形成するために、表示画像を構成する画像データの情報（ＶＲＡＭ５３６の座標軸、画像サイズ、ＶＲＡＭ座標（配置座標）など）をＶＤＰ５３４に指示する。ＶＤＰ５３４はアトリビュートレジスタに格納された命令に基づいてアトリビュートに従ったパラメータ設定を行う。
【０１１１】
ステップＳ９０７では、描画指示を行う。この描画指示では、ＣＰＵ５０４は、ＶＤＰ５３４に画像の描画開始を指示する。ＶＤＰ５３４は、ＣＰＵ５０４の指示に従ってフレームバッファにおける画像描画を開始する。
【０１１２】
ステップＳ９０９では、画像の描画終了に基づくＶＤＰ５３４からの生成終了割込み信号が入力されたか否かを判定し、生成終了割込み信号が入力された場合はステップＳ９１１に進み、そうでない場合は生成終了割込み信号が入力されるのを待つ。ステップＳ９１１では、ＲＡＭ５０８の所定の領域に設定され、何シーンの画像を生成したかをカウントするシーン表示カウンタをインクリメント（＋１）して処理を終了する。
【０１１３】
次に、図９乃至図２２を用いて本実施の形態によるスロットマシン１００に搭載される副制御基板収納部２２３、第一の破断容易部７１１、第二の破断容易部７６１、およびこれらを含んだ副制御基板収納ケース２２０について説明する。図９乃至図２２を用いた説明において、鉛直方向（上下方向と称する場合もある）あるいは水平方向はスロットマシン１００を設置場所に設置した状態での鉛直方向あるいは水平方向を指す。同様に、左右方向は水平方向のうち、３つのリール１１０〜１１２が並ぶ方向を指す。また、前後方向は水平方向のうち、上下方向と左右方向に直交する方向であって遊技者に向かう方向を前方向、その逆を後方向と呼ぶ。
【０１１４】
また、図９乃至図２２において「上」と「下」の表記がある両矢印は鉛直方向を示しており、「上」は鉛直上方を示し「下」は鉛直下方を示している。また、「左」と「右」の表記がある両矢印は左右方向を示しており、「左」は左方向を示し、「右」は右方向を示している。また、「前」と「後」の表記がある両矢印は前後方向を示しており、「前」は前方向を示し、「後」は後方向を示している。これらの矢印は、副制御基板収納ケース２２０が取り付けられたスロットマシン１００が遊技店の島設備等に設置された場合に、副制御基板収納ケース２２０の設置状態を示すものである。
【０１１５】
図９を用いて本実施の形態の副制御基板収納ケース２２０について説明する。図９は、副制御基板収納ケース２２０を右後上から左前下に向かって見た外観斜視図である。図９に示すように、副制御基板収納ケース２２０は全体的に見て薄い略直方体形状の副制御基板収納部２２３を有している。副制御基板収納部２２３は、スロットマシン１００の前面扉１０２の後面に取り付けられるベース部材２２３ａと、ベース部材２２３ａの後側に取り付けられる蓋部材２２３ｂとを有している。ベース部材２２３ａは、前面扉１０２の後面に対面する平板状の底面部と、底面部の周縁部が後側に折り曲げられた側壁部とを有しており、薄い盆状に形成されている。蓋部材２２３ｂは、ベース部材２２３ａより深い凹部を有する箱形状になっている。ベース部材２２３ａの開口側と蓋部材２２３ｂの開口側とを位置合わせして向い合せると、蓋部材２２３ｂの箱形状の開口部の周縁部の輪郭形状はベース部材２２３ａの周縁部の輪郭形状にほぼ一致するようになっている。ベース部材２２３ａの周縁部の輪郭と蓋部材２２３ｂの開口部の周縁部の輪郭とを一致させるようにして両者を組み合わせることにより副基板等を収納（収容）する内部空間が形成される。副制御基板収納ケース２２０を前面扉１０２の後面に取り付けると、略直方体形状の副制御基板収納部２２３は、２つの長側面が上下方向で対向して左右方向に延び、２つの短側面が左右方向で対向して上下方向に延びるように配置される。
【０１１６】
図９に示すように、ベース部材２２３ａの上端部左右には、ベース部材２２３ａを前面扉１０２の後面に取り付けるための２つの取り付け片２３１が設けられている。各取り付け片２３１には、ベース部材２２３ａを前面扉１０２の後面にネジ留めするための貫通孔が設けられている。ベース部材２２３ａの上端部ほぼ中央には、作業者が把持可能な取っ手２８３が設けられている。ベース部材２２３ａの上端部の取っ手２８３の左側には、固定用留め受け部２９３ａが設けられている。固定用留め受け部２９３ａには、蓋部材２２３ｂの固定用留め部２９３ｂが留められている。ベース部材２２３ａの上端部の取っ手２８３の右側には、固定用留め受け部２９２ａが設けられている。固定用留め受け部２９２ａには、蓋部材２２３ｂの固定用留め部２９２ｂが留められている。
【０１１７】
副制御基板収納部２２３の上側の長側面には当該長側面に沿って薄く細長い板形状の第一の破断容易部７１１が貼り付けられている。第一の破断容易部７１１は当該長側面の右端で下方に曲げられて副制御基板収納部２２３の右側の短側面に沿って延びており、副制御基板収納部２２３の右側の短側面の張出部２２９で右側に曲げられて張出部２２９の上面に貼り付けられ、さらに、張出部２２９の右端で下方に曲げられて張出部２２９の右側面の上端に貼り付けられている。張出部２２９の右側面には上下方向に沿って薄く細長い板形状の第二の破断容易部７６１が貼り付けられている。
【０１１８】
第一の破断容易部７１１の副制御基板収納部２２３に対面する表面とは反対の露出面側には、ベース部材２２３ａと蓋部材２２３ｂの周縁部の接触部の延びる方向（左右方向）に対して、平坦部を囲んで斜め十字格子状に延びる複数の直線状の溝が形成されている。第二の破断容易部７６１の副制御基板収納部２２３に対面する表面とは反対の露出面側には、ベース部材２２３ａと蓋部材２２３ｂの周縁部の接触部の延びる方向（上下方向）に対して平坦部を介して斜め十字方向に延びる複数の直線状の溝が形成されている。溝と平坦部とが交互に繰り返し配置されているので、第一の破断容易部７１１の板厚は薄い部分と厚い部分が交互に繰り返されている。このため、第一の破断容易部７１１に局所的に力が作用すると、当該局所近傍の板厚の相対的に薄い部分が厚い部分に比較して容易に破断する。同様に、第二の破断容易部７６１についても、溝と平坦部とが交互に繰り返し配置されているので、第二の破断容易部７６１の板厚は薄い部分と厚い部分が交互に繰り返されている。このため、第二の破断容易部７６１に局所的に力が作用すると、当該局所近傍の板厚の相対的に薄い部分が厚い部分に比較して容易に破断する。第一の破断容易部７１１と第二の破断容易部７６１は、副制御基板収納部２２３に比べて破断容易な構造を有している。
【０１１９】
張出部２２９の第一の破断容易部７１１の右端部には、第二の破断容易部７６１と接続する際の位置決め用の位置決め用突起物７１３が設けられている。位置決め用突起物７１３は右方向に突出する直方体状突出部を有している。張出部２２９に貼り付けられた第二の破断容易部７６１の上端部には、位置決め用突起物７１３の直方体状突出部を嵌め込む矩形状の穴が開口された開口部７６３が設けられている。第二の破断容易部７６１は、第一の破断容易部７１１の位置決め用突起物７１３を開口部７６３に嵌め込んで張出部２２９に貼り付けられている。張出部２２９の右側の側面部の上端部では、第二の破断容易部７６１が第一の破断容易部７１１に重ねて固定されている。このように第一の破断容易部７１１を取り付けた状態から第二の破断容易部７６１を重ねて取り付けることが可能な構造にすることにより、第一の破断容易部７１１および第二の破断容易部７６１を破断させずに取り外すことがより困難になる。
【０１２０】
図９に示すように、第一の破断容易部７１１が副制御基板収納部２２３の上端部に全体的に貼り付けられて固定されているので、ベース部材２２３ａの上側の周縁部の先端部と蓋部材２２３ｂの上側の周縁部の先端部の接触部は第一の破断容易部７１１で塞がれている。また、第一の破断容易部７１１が張出部２２９の上側面に全体的に貼り付けられて固定されており、第二の破断容易部７６１が張出部２２９の右側面に全体的に貼り付けられて固定されているので、ベース部材２２３ａの右側の周縁部の先端部と蓋部材２２３ｂの右側の周縁部の先端部との接触部は第一の破断容易部７１１と第二の破断容易部７６１で塞がれている。
【０１２１】
また、ベース部材２２３ａ、蓋部材２２３ｂ、第一の破断容易部７１１、および第二の破断容易部７６１は、例えば透明樹脂材料でそれぞれ射出成型により形成されている。このように副制御基板収納ケース２２０は透明樹脂材料により形成されるので、その内部は外部から視認可能になっている。
【０１２２】
次に、図１０を用いて本実施の形態の副制御基板収納部２２３およびその内部に収納（収容）されている基板について説明する。図１０において、図９を用いて説明したものと同一の構成要素には同一の符号を付してその詳細な説明は省略する。図１０は、副制御基板収納部２２３と基板を左後上から右前下に向かって見た分解斜視図である。
【０１２３】
ベース部材２２３ａは、平板状の底面部２３３と、底面部２３３の周縁部が後側に折り曲げられた側壁部とを有しており、薄い盆状に形成されている。ベース部材２２３ａの側壁部の輪郭は、第１副基板２２２の外周の輪郭に倣った形状を有している。当該側壁部の内方は第１副基板２２２を嵌め込むことができる大きさを有している。底面部２３３の四隅には、第１副基板２２２をネジ留めするためのネジ穴２３５がそれぞれ設けられている。底面部２３３には、両端が半円形状に形成されたスリット状の放熱孔２８１が整列して多数設けられている。また、ベース部材２２３ａの上端部には、両端が半円形状に形成されたスリット状の放熱孔２９７ａが整列して多数設けられている。放熱孔２８１、２９７ａにより、副制御基板収納部２２３の内部に生じた熱を効率よく外部に逃がすことができるようになっている。また、ベース部材２２３ａの左端部のほぼ中央には、固定用凹部２８９ａが設けられている。ベース部材２２３ａの下端部の左右両側には、それぞれカシメ取り付け部２８５ａが設けられている。
【０１２４】
第１副基板２２２は、略長方形の薄板状をしている。第１副基板２２２は、２つの長辺が上下方向で対向して左右方向に延び、２つの短辺が左右方向で対向して上下方向に延びる形状を有している。さらに上側の長辺の右端は、上から下に向かって延びた後、右方向に延びて右側の短辺の上端に達している。上側の長辺の左端は、上から下に向かって延びた後、左方向に延びて左側の短辺の上端に達している。
【０１２５】
第１副基板２２２は、種々の電子部品が実装された実装面の反対側の面をベース部材２２３ａの底面部２３３に対面させて配置されている。第１副基板２２２には、底面部２３３に設けられた４つのネジ穴２３５に対応する位置にそれぞれ貫通孔２５３が設けられている。第２副基板２２４は、第１副基板２２２よりも小さい長方形の薄板状をしている。第２副基板２２４は、種々の電子部品が実装された実装面の反対側の面を第１副基板２２２の実装面に対面させて第１副基板２２２にネジ留めされている。第２副基板２２４の実装面には、第一の冷却ファン４４３が取り付けられている。
【０１２６】
蓋部材２２３ｂは、平面状の底面部２２５ａと、底面部２２５ａの周縁部が前側に折り曲げられた側壁部とを有しており、ベース部材２２３ａより深い凹部を有する箱形状に形成されている。蓋部材２２３ｂの下端部の左右両側には、それぞれカシメ取り付け部２８５ｂが設けられている。蓋部材２２３ｂの左端部のほぼ中央には、固定用凸部２８９ｂが設けられている。
【０１２７】
空気流通口２９１は、第２副基板２２４に設けられた第一の冷却ファン４４３に対応する位置に設けられており、本実施例では底面部２２５ａのほぼ中央に形成されている。これにより、第一の冷却ファン４４３を回転させて副制御基板収納部２２３の内部の空気を空気流出口２９１から排気させることができるので、副制御基板収納部２２３の内部に生じた熱を効率よく外部に逃がすことができるようになっている。
【０１２８】
蓋部材２２３ｂの上端部には、両端が半円形状に形成されたスリット状の放熱孔２９７ｂが整列して多数設けられている。これにより、副制御基板収納部２２３の内部に生じた熱を効率よく外部に逃がすことができるようになっている。
【０１２９】
次に、副制御基板収納部２２３の組み立て方法について簡単に説明する。予め第２副基板２２４が取り付けられた第１副基板２２２をベース部材２２３ａの側壁部の輪郭の内方に嵌め込んで、第１副基板２２２の貫通孔２５３をベース部材２２３ａの底面部２３３のネジ穴２３５に位置合せしてネジ留めし、第２副基板２２４が取り付けられた第１副基板２２２をベース部材２２３ａに固定する。次いで、蓋部材２２３ｂを左右方向を回転軸として約９０°回転させてベース部材２２３ａの固定用留め受け部２９３ａの爪部に蓋部材２２３ｂの固定用留め部２９３ｂの開口部を引っ掛ける。次いで、蓋部材２２３ｂを逆方向に回転させると、蓋部材２２３ｂはベース部材２２３ａに係止される。次いで、固定用凹部２８９ａに固定用凸部２８９ｂを嵌め込み、さらにカシメ取り付け部２８５ａとカシメ取り付け部２８５ｂを隣接させてカシメ部品２８５を嵌め込んでカシメを行って、副制御基板収納部２２３が組み立てられる。次いで、副制御基板収納部２２３の下端部のほぼ中央に第二の冷却ファン４４５がネジ留めされ固定される。
【０１３０】
なお、「カシメ」とは、基板を簡単に取り外したり改造したりできないようにしつつ、取り外したり改造したりした不正が行われた際にはカシメ部品２８５が破断して不正の痕跡が残るようにする封止方法である。
【０１３１】
次に、図１１を用いて本実施の形態の副制御基板収納部２２３に固定される第一の破断容易部７１１と第二の破断容易部７６１について説明する。図１１において、図９と図１０を用いて説明したものと同一の構成要素には同一の符号を付してその詳細な説明は省略する。図１１は、第一の破断容易部７１１と第二の破断容易部７６１が副制御基板収納部２２３に固定される状態を右後上から左前下に向かって見た外観斜視図である。
【０１３２】
第一の破断容易部７１１は、副制御基板収納部２２３に対面する表面側に設けられた不図示の接着剤塗布領域に接着剤が塗布されて、副制御基板収納部２２３の上側の長側面と張出部２２９の上面に沿って貼り付けられる。
【０１３３】
第二の破断容易部７６１は、第一の破断容易部７１１が貼り付けられた後に、副制御基板収納部２２３に対面する表面側に設けられた不図示の接着剤塗布領域に接着剤が塗布されて、張出部２２９の右側面に上下方向に沿って貼り付けられる。張出部２２９の右側の側面部の上端部では、第二の破断容易部７６１が第一の破断容易部７１１に重ねて固定されているので、不正行為者による第一の破断容易部７１１の取り外しをより困難にすることができる。第二の破断容易部７６１は、副制御基板収納部２２３と対面する表面側に２つの突起部７６５を有している。２つの突起部７６５は、それぞれ副制御基板収納部２２３に設けられた２つの差し込み孔２９５に差し込まれて、第二の破断容易部７６１を副制御基板収納部２２３に固定する際の位置決め用の突起部として用いられる。なお、本実施例では、第一の破断容易部７１１および第二の破断容易部７６１は、カシメを行った副制御基板収納部２２３に取り付けているが、これに限定するものではなく、カシメを行なっていない副制御基板収納部２２３に第一の破断容易部７１１および第二の破断容易部７６１を取り付けてもよい。
【０１３４】
次に、図１２および図１３を用いて、本実施の形態の実施例１による第一の破断容易部７１１について詳細に説明する。図１２および図１３において、図９乃至図１１を用いて説明したものと同一の構成要素には同一の符号を付してその詳細な説明は省略する。図１２（ａ）は第一の破断容易部７１１を上から下に向かって見た正面図であり、第一の破断容易部７１１の副制御基板収納部２２３に対面する表面とは反対の露出面側を示している。図１２（ｂ）は第一の破断容易部７１１を下から上に向かって見た背面図であり、第一の破断容易部７１１の副制御基板収納部２２３に対面する表面側を示している。図１２（ｃ）は第一の破断容易部７１１を前から後に向かって見た側面図である。図１３（ａ）は、図１２（ａ）の実線で示す楕円ａ内の領域を拡大して示した部分拡大図である。図１３（ｂ）は、図１２（ａ）のＡ−Ａ線で第一の破断容易部７１１を切断して矢印方向に見た断面図である。
【０１３５】
図１２（ａ）〜（ｃ）に示すように、第一の破断容易部７１１は、薄く細長い板形状の板状部７１２を有している。板状部７１２は、図１２（ｃ）に示すように、左から右に向かって延びた後下方に折り曲げられて、右に折り曲げられ、さらに下に折り曲げられた段差を備えた形状を有している。
【０１３６】
図１２（ａ）および図１３（ａ）に示すように、板状部７１２の副制御基板収納部２２３に対面する表面（下面）とは反対の露出面（上面）側には、左右方向に対して斜め十字格子状に延びる複数の溝が形成されている。左右方向に対して例えば４５°の角度で左後から右前に延びる仮想直線（一点鎖線で示す）を第一の仮想直線Ｌ１とし、第一の仮想直線Ｌ１の延びる方向とは異なる方向（本例では直交する方向）に延びる仮想直線（一点鎖線で示す）を第二の仮想直線Ｌ２とする。ここで斜め十字状の一組の溝に着目すると、板状部７１２の露出面側に第一の仮想直線Ｌ１に沿って直線状の第一の溝７２１および第二の溝７２３が形成され、第二の仮想直線Ｌ２に沿って直線状の第三の溝７２７および第四の溝７２９が形成されている。第一の溝７２１は第二の仮想直線Ｌ２に対して第二の溝７２３の反対側に配置されている。第三の溝７２７は第一の仮想直線Ｌ１に対して第四の溝７２９の反対側に配置されている。
【０１３７】
本実施例の各溝は、溝の延伸方向に沿って対向する２つの斜平面が溝底部で交わる形状をしており、溝の延伸方向に見て溝底部が凹状になっている。溝の延伸方向に直交する平面で切断した各溝の断面形状は、図１３（ｂ）に示す板状部７１２の断面において符号ｇで指し示すようにＶ字形状になっている。板状部７１２の露出面側から観察すると、各溝の溝底部は、溝中央を溝の延伸方向に走る一本の直線として視認される。従って、第一の溝７２１、第二の溝７２３、第三の溝７２７、および第四の溝７２９のそれぞれも、対向する２つの斜平面が溝底部で交わる形状をしており、溝の延伸方向に見て溝底部が凹状になっている。溝の延伸方向に直交する平面で切断した第一の溝７２１、第二の溝７２３、第三の溝７２７、および第四の溝７２９のそれぞれの断面形状は、いずれもＶ字形状になっている。板状部７１２の露出面側から観察すると、図１３（ａ）に示すように、第一の溝７２１、第二の溝７２３、第三の溝７２７、および第四の溝７２９のそれぞれの溝底部は、溝中央を溝の延伸方向に走る一本の直線として視認される。本例では溝を構成する２つの斜平面は、溝底部をなす直線を含む平面に対して対称な形状になっているが、これに限定されるものではなく、非対称であってもよい。また、対向する２つの斜平面に続いて対向する２つの平行平面が溝に設けられていてもよい。また、Ｕ字形状や半円形状、角形状など、Ｖ字形状以外の溝断面を有する溝であってもよい。また、溝底部が凹状でなく平面状になっていてもよい。
【０１３８】
さらに、本実施例による第一の破断容易部７１１では、第一の溝７２１および第二の溝７２３の端部のうち互いに対向する端部側が接続されて一本の直線状の貫通溝（以下、「第一の貫通溝７２５」という。）となり、第三の溝７２７および第四の溝７２９の端部のうち互いに対向する端部側が接続されて一本の直線状の貫通溝（以下、「第二の貫通溝７３１」という。）となっている。第一の貫通溝７２５および第二の貫通溝７３１のそれぞれも、対向する２つの斜平面が溝底部で交わる形状をしており、溝の延伸方向に見て溝底部が凹状になっている。溝の延伸方向に直交する平面で切断した第一の貫通溝７２５および第二の貫通溝７３１のそれぞれの断面形状は、いずれもＶ字形状になっている。板状部７１２の露出面側から観察すると、図１３（ａ）に示すように、第一の貫通溝７２５および第二の貫通溝７３１のそれぞれの溝底部は、溝中央を溝の延伸方向に走る一本の直線として視認される。
【０１３９】
第一の貫通溝７２５と第二の貫通溝７３１とが交差して第一の交差部７３３が形成されている。第一の交差部７３３は第一の貫通溝７２５と第二の貫通溝７３１とを含んでいる。第一の交差部７３３の中心は、第一の貫通溝７２５と第二の貫通溝７３１の直線状の溝底部の交差点に位置している。板状部７１２の露出面には、第一の交差部７３３と同形状の交差部が、第一の交差部７３３の前後方向、左右方向、および前後方向と左右方向に対して斜め方向に等間隔に複数配列されているだけでなく、その他の露出面においても、当該交差部が等間隔に多数配列されている。隣接する交差部の溝同士も互いに対向する端部側が接続されて一本の直線状の溝となっている。
【０１４０】
第一の破断容易部７１１の板状部７１２は複数の溝が形成されている。板状部７１２に力が作用すると溝部に応力が集中するため、容易に破断を生じさせることができる。さらに、本実施例のように溝形状をＶ字形状とすることにより、力が作用された場合、溝底部に応力が集中するため、より高い効果を得ることができる。このため、ベース部材２２３ａの上側の周縁部の先端部と蓋部材２２３ｂの上側の周縁部の先端部の接触部にドライバ（ねじ回し）などの先端が鋭利な部材を差し込んでベース部材２２３ａと蓋部材２２３ｂとの間を分離して不正な行為をしようとすると、ベース部材２２３ａと蓋部材２２３ｂの接触部を塞いで貼り付けられている第一の破断容易部７１１が容易に破断して破断部が視認されるため不正の痕跡をより残し易くすることができる。このように、第一の破断容易部７１１は、副制御基板収納部２２３に比べて破断容易な構造を有している。第一の破断容易部７１１を副制御基板収納部２２３とは別に設けているので、副制御基板収納部２２３の強度を低下させずに不正行為者による不正の痕跡をより残し易くすることができる。
【０１４１】
図１２には示していないが、副制御基板収納部２２３の第一の破断容易部７１１が貼り付けられる領域には、内部に空気を流通させる空気孔（例えば、図１０に示す放熱孔２９７ａ、２９７ｂ）が複数開口されている。図１２（ａ）に示すように、第一の破断容易部７１１の板状部７１２には、例えば、開口部７１７が設けられている。開口部７１７は、副制御基板収納部２２３の放熱孔２９７ａ、２９７ｂの配置位置に対応する位置に設けられている。これにより、第一の破断容易部７１１を副制御基板収納部２２３に貼り付けても、放熱孔２９７ａ、２９７ｂの少なくとも一部は第一の破断容易部７１１の板状部７１２で塞がれないので、副制御基板収納部２２３の内部に生じた熱を効率よく外部に逃がすことができる。
【０１４２】
また、第一の破断容易部７１１の板状部７１２は複数の開口部７１７が形成されているので、開口部が形成されていない板と比較して断面積の小さい領域が多くなっている。板状部７１２に力が作用すると断面積の小さい領域で容易に破断を生じさせることができる。このため、ベース部材２２３ａの上側の周縁部の先端部と蓋部材２２３ｂの上側の周縁部の先端部の接触部にドライバ（ねじ回し）などの先端が鋭利な部材を差し込んでベース部材２２３ａと蓋部材２２３ｂとの間を分離して不正な行為をしようとすると、ベース部材２２３ａと蓋部材２２３ｂの接触部を塞いで貼り付けられている第一の破断容易部７１１が容易に破断して破断部が視認されるため不正の痕跡をより残し易くすることができる。
【０１４３】
また、板状部７１２には、副制御基板収納部２２３の固定用留め受け部２９３ａおよび固定用留め部２９３ｂに対応する位置に開口部７１５が設けられている。また、板状部７１２は、副制御基板収納部２２３に設けられている取っ手２８３を回避する形状を有している。また、板状部７１２には、張出部２２９の上面に形成されている凸状部に対応する位置に開口部７１８が設けられている。また、板状部７１２は、副制御基板収納部２２３に設けられている固定用留め受け部２９２ａおよび固定用留め部２９２ｂを回避する形状の空間部７１６を有している。このため、第一の破断容易部７１１は副制御基板収納部２２３の上端部の全面に沿って貼り付けることができる。
【０１４４】
図１２（ｂ）および図１３（ｂ）に示すように、板状部７１２は、副制御基板収納部２２３と対面する表面側に、接着剤を塗布するための複数の接着剤塗布用溝７１９を有している。接着剤塗布用溝７１９は概ね板状部７１２の表面の基板の周囲に沿って配置されている。接着剤が接着剤塗布用溝７１９に留まることにより、第一の破断容易部７１１をより強固に副制御基板収納部２２３に固定することができる。
【０１４５】
図１２（ｂ）および図１２（ｃ）に示すように、板状部７１２は、副制御基板収納部２２３と対面する表面側に複数の突起部７１４を有している。各突起部７１４は、副制御基板収納部２２３の複数の放熱孔２９７ａ、２９７ｂのいずれかに差し込まれる位置に配置されている。各突起部７１４は、所定の放熱孔２９７ａ、２９７ｂに差し込まれて、第一の破断容易部７１１を副制御基板収納部２２３に固定する際の位置決めに用いられる。また、接着剤塗布用溝７１９は溝内に突起部７１４を含むように形成されている。このため、放熱孔２９７ａ、２９７ｂに差し込まれた突起部７１４が確実に放熱孔２９７ａ、２９７ｂに接着されるように十分な接着剤を供給できるようになっている。突起部７１４は、それぞれ対応する放熱孔２９７ａ、２９７ｂの開口周縁部の一部に接するように差し込まれる。これにより、突起部７１４を放熱孔２９７ａ、２９７ｂの開口周縁部で仮留めさせることができるので、副制御基板収納部２２３に第一の破断容易部７１１を貼り付ける際のガタつきをなくし、より強固に固定させることができる。また、第一の破断容易部７１１に放熱孔２９７ａ、２９７ｂのそれぞれに対応した突起部７１４を設けることにより、第一の破断容易部７１１を取り外す、または破壊しなければ副制御基板収納部２２３を開封することができないようにすることができる。
【０１４６】
次に、図１４を用いて本実施例の第一の破断容易部７１１と第二の破断容易部７６１が貼り付けられていない副制御基板収納部２２３について説明する。図１４において、図９乃至図１３を用いて説明したものと同一の構成要素には同一の符号を付してその詳細な説明は省略する。図１４（ａ）は、ベース部材２２３ａの上側の周縁部の先端部と蓋部材２２３ｂの上側の周縁部の先端部の接触部にドライバＤが差し込まれた状態の副制御基板収納部２２３を右後上から左前下に向かって見た外観斜視図である。図１４（ｂ）は、図１４（ａ）の実線で示す楕円ｂ内の領域を拡大して示した部分拡大図である。
【０１４７】
ベース部材２２３ａの上側の周縁部の先端部と蓋部材２２３ｂの上側の周縁部の先端部の接触部にドライバＤを差し込んでベース部材２２３ａと蓋部材２２３ｂとの間を分離して内部に収納されている基板の部品を交換する等の不正な行為がなされる場合、第一の破断容易部７１１と第二の破断容易部７６１が貼り付けられていない副制御基板収納部２２３では、不正の痕跡を残すことができない場合がある。これに対して、本実施例による第一の破断容易部７１１と第二の破断容易部７６１が貼り付けられた副制御基板収納部２２３によれば、不正な行為がなされたとしても、ベース部材２２３ａと蓋部材２２３ｂの接触部を塞いで貼り付けられている第一の破断容易部７１１と第二の破断容易部７６１が容易に破断して破断部が視認されるため不正の痕跡を残すことができる。
【０１４８】
次に、図１５を用いて、本実施例の第一の破断容易部７１１による効果について説明する。図１５において、図９乃至図１４を用いて説明したものと同一の構成要素には同一の符号を付してその詳細な説明は省略する。図１５（ａ）は、第一の破断容易部７１１を上から下に向かって見た正面図であり、第一の破断容易部７１１の副制御基板収納部２２３に対面する表面とは反対の露出面側を示している。また、図１５（ａ）は、実線で示す円内の領域の場所が異なる以外は図１２（ａ）と同様である。図１５（ｂ）は、図１５（ａ）の実線で示す円ｃ内の領域が破断した状態を拡大して示した部分拡大図である。図１５
（ｃ）は、第一の破断容易部７１１の破断した領域を整えた状態を示す部分拡大図である。
【０１４９】
図１５（ａ）の円ｃ内の領域に示されている第一の破断容易部７１１の開口部７１７に例えば、ドライバを差し込んでベース部材２２３ａと蓋部材２２３ｂとの間を分離して不正な行為がなされる場合には、溝の形成領域Ｇや開口部７１７の形成領域の近傍の断面積の小さい領域が容易に破断する。図１５（ｂ）に示すように、本実施例では、開口部７１７を中心として左右方向に対して約４５°の角度で左後から右前に延びる溝部で破断が生じている。
【０１５０】
破断部に生じる破断線が一直線状の溝底部に一致して形成されることは極めて稀である。図１５（ｂ）に示すように一般に、破断線は溝底部に一致して形成されておらず、破断線の少なくとも一部は溝底部に視認される直線と重ならない。このため、不正行為者が破断部を整えて生じたズレを元に戻しても、図１５（ｃ）に示すように、依然として破断線を視認することができ、不正の痕跡Ｔを残すことができる。
【０１５１】
次に、図１６を用いて、本実施の形態の実施例２による第一の破断容易部７１１について説明する。図１６において、実施例１に示すものと同一機能あるいは作用を奏する構成要素には同一の符号を付してその詳細な説明は省略する。図１６（ａ）は、第一の破断容易部７１１を上から下に向かって見た正面図であり、第一の破断容易部７１１の副制御基板収納部２２３に対面する表面とは反対の露出面側を示している。図１６（ａ）は、実線で示す楕円内の領域の場所が異なる以外は図１２（ａ）と同様である。図１６（ｂ）は、図１６（ａ）の実線で示す楕円ｄ内の領域を拡大して示した部分拡大図である。図１６（ｃ）は、図１６（ａ）のＢ−Ｂ線で第一の破断容易部７１１を切断して矢印方向に見た断面図である。
【０１５２】
図１６（ｂ）に示すように、板状部７１２の露出面には、第三の貫通溝７４１および第四の貫通溝７４３が形成されている。第三の貫通溝７４１は、左右方向に対して例えば４５°の角度で左後から右前に延びている。第四の貫通溝７４３は、第三の貫通溝７４１の延びる方向と直交する方向に延びている。第三の貫通溝７４１と第四の貫通溝７４３とが交差して第二の交差部７４５が形成されている。第二の交差部７４５は、表面が平坦な平坦部Ａを挟んで第一の交差部７３３の左側に配置されており、第一の交差部７３３と同一平面上に設けられている。また、本実施例では、溝の延伸方向に直交する平面で切断した第三の貫通溝７４１と第四の貫通溝７４３の断面形状は、溝の延伸方向に見て凹状の溝底部を有するＶ字形状になっている。図１６（ｃ）に示すように、板状部７１２の露出面側には、Ｖ字形状の溝ｇ´が形成されている。第一の交差部７３３の中心と第二の交差部７４５の中心を結ぶ仮想直線（一点鎖線で示す）を第三の仮想直線Ｌ３とすると、第一の貫通溝７２５は第三の仮想直線Ｌ３の延びる方向とは異なる方向に延びている。第二の貫通溝７３１、第三の貫通溝７４１、および第四の貫通溝７４３のいずれの溝も第三の仮想直線Ｌ３の延びる方向とは異なる方向に延びている。
【０１５３】
第一の交差部７３３は、断面積が小さくて破断され易い第一の貫通溝７２５と第二の貫通溝７３１とが交差して形成されているので、特に破断され易くなっている。また、第二の交差部７４５は、断面積が小さくて破断され易い第三の貫通溝７４１と第四の貫通溝７４３とが交差して形成されているので、特に破断され易くなっている。従って、第三の仮想直線Ｌ３の両側で互いに逆向きの力のモーメントが作用すると、第一の交差部７３３および第二の交差部７４５が配置されている第三の仮想直線Ｌ３に沿って左右方向に破断線が生じる場合がある。このように、板状部７１２は、第一の貫通溝７２５〜第四の貫通溝７４３の溝底部が延びる方向とは別の新たな破断が生じ易い領域を有している。
【０１５４】
さらに、板状部７１２の露出面に第五の貫通溝７４７および第六の貫通溝７４９が形成されている。第五の貫通溝７４７は、左右方向に対して例えば４５°の角度で左後から右前に延びている。第六の貫通溝７４９は、第五の貫通溝７４７の延びる方向と直交する方向に延びている。第五の貫通溝７４７と第六の貫通溝７４９とが交差して第三の交差部７５１が形成されている。第三の交差部７５１は、表面が平坦な平坦部Ｂを挟んで第一の交差部７３３の右側に配置されて、交差部の中心が第三の仮想直線Ｌ３の延長線上に配置されており、第一の交差部７３３および第二の交差部７４５と同一平面上に設けられている。また、本実施例では、溝の延伸方向に直交する平面で切断した第五の貫通溝７４７と第六の貫通溝７４９の断面形状は、溝の延伸方向に見て凹状の溝底部を有するＶ字形状になっている。図１６（ｃ）に示すように、板状部７１２の露出面側には、Ｖ字形状の溝ｇ´´が形成されている。第五の貫通溝７４７は、第一の貫通溝７２５、第二の貫通溝７３１、第三の貫通溝７４１、および第四の貫通溝７４３のいずれの溝とも異なる。第六の貫通溝７４９は、第一の貫通溝７２５、第二の貫通溝７３１、第三の貫通溝７４１、および第四の貫通溝７４３のいずれの溝とも異なる。第五の貫通溝７４７および第六の貫通溝７４９は、第三の仮想直線Ｌ３の延びる方向とは異なる方向に延びている。第三の貫通溝７４１、第四の貫通溝７４３、第五の貫通溝７４７、および第六の貫通溝７４９は、いずれも直線状の溝である。
【０１５５】
第三の交差部７５１は、断面積が小さくて破断され易い第五の貫通溝７４７と第六の貫通溝７４９とが交差して形成されているので、特に破断され易くなっている。従って、第三の仮想直線Ｌ３の両側で互いに逆向きの力のモーメントが作用すると、第一の交差部７３３および第二の交差部７４５に加えて第三の交差部７５１が配置されている第三の仮想直線Ｌ３は、第三の仮想直線Ｌ３に沿って左右方向に破断線が生じ易くなっている。
【０１５６】
次に、図１７を用いて、本実施の形態の実施例３による第二の破断容易部７６１について説明する。図１７において、図９乃至図１６を用いて説明したものと同一の構成要素には同一の符号を付してその詳細な説明は省略する。図１７（ａ）は、第二の破断容易部７６１を右から左に向かって見た正面図であり、第二の破断容易部７６１の副制御基板収納部２２３に対面する表面とは反対の露出面側を示している。図１７（ｂ）は、第二の破断容易部７６１を左から右に向かって見た背面図であり、第二の破断容易部７６１の副制御基板収納部２２３に対面する表面側を示している。図１７（ｃ）は、第二の破断容易部７６１を後から前に向かって見た側面図である。図１７（ｄ）は、図１７（ａ）の実線で示す楕円ｅ内の領域を拡大して示した第二の破断容易部７６１の部分拡大図である。
【０１５７】
図１７（ａ）〜（ｄ）に示すように、第二の破断容易部７６１は、薄く細長い板形状の板状部７６２を有している。板状部７６２は、図１７（ｃ）に示すように、上から下に向かって延びた後、左に折り曲げられた形状を有している。
【０１５８】
図１７（ａ）および図１７（ｄ）に示すように、板状部７６２の副制御基板収納部２２３に対面する表面とは反対の露出面側には、上下方向に対して斜め十字方向に延びる複数の直線状の溝が形成されている。上下方向に対して例えば４５°の角度で後上から前下に延びる仮想直線（一点鎖線で示す）を第一の仮想直線Ｌ１とし、第一の仮想直線Ｌ１の延びる方向とは異なる方向（本例では直交する方向）に延びる仮想直線（一点鎖線で示す）を第二の仮想直線Ｌ２とする。本実施例では、板状部７６２の露出面側に第一の仮想直線Ｌ１に沿って直線状の第一の溝７６７および第二の溝７６９が形成され、第二の仮想直線Ｌ２に沿って直線状の第三の溝７７１および第四の溝７７３が形成されている。第一の溝７６７は第二の仮想直線Ｌ２に対して第二の溝７６９の反対側に配置されている。第三の溝７７１は第一の仮想直線Ｌ１に対して第四の溝７７３の反対側に配置されている。
【０１５９】
第一の溝７６７は、第二の溝７６９と対向する第一の対向端部７６７ａを有している。板状部７６２の露出面に向かって（右から左に向かって）見ると、第一の対向端部７６７ａは、第二の溝７６９に近づくほど溝幅が狭くなっており、先端部に第二の仮想直線Ｌ２に向かって突出する第一の突端部７６７ｂを有している。第二の溝７６９は、第一の溝７６７と対向する第二の対向端部７６９ａを有している。第二の対向端部７６９ａは、板状部７６２の露出面に向かって見ると、第一の溝７６７に近づくほど溝幅が狭くなっており、先端部に第二の仮想直線Ｌ２に向かって突出する第二の突端部７６９ｂを有している。第一の対向端部７６７ａと第二の対向端部７６９ａとの間には、溝が形成されておらず表面が平坦な第一の平坦部７７５が設けられている。第一の対向端部７６７ａは、第一の平坦部７７５に繋がる第一の溝７６７の終端部側壁になっている。第二の対向端部７６９ａは、第一の平坦部７７５に繋がる第二の溝７６９の終端部側壁になっている。第一の平坦部７７５の表面を含む平面内での第一の対向端部７６７ａの輪郭は、第一の突端部７６７ｂを頂部とする二等辺を有し頂角が直角である形状を有している。同様に第二の対向端部７６９ａの輪郭は、第二の突端部７６９ｂを頂部とする二等辺を有し頂角が直角である形状を有している。なお、第一の対向端部７６７ａおよび第二の対向端部７６９ａの輪郭はこれに限らず、頂角は鋭角であっても鈍角であってもよいし、さらに第一の対向端部７６７ａおよび第二の対向端部７６９ａの輪郭が例えば円弧を描く曲線の凸形状であってもよい。
【０１６０】
第三の溝７７１は、第四の溝７７３と対向する第三の対向端部７７１ａを有している。第三の対向端部７７１ａは、板状部７６２の露出面に向かって見ると、第四の溝７７３に近づくほど溝幅が狭くなっており、先端部に第一の仮想直線Ｌ１に向かって突出する第三の突端部７７１ｂを有している。第四の溝７７３は、第三の溝７７１と対向する第四の対向端部７７３ａを有している。第四の対向端部７７３ａは、板状部７６２の露出面に向かって見ると、第三の溝７７１に近づくほど溝幅が狭くなっており、先端部に第一の仮想直線Ｌ１に向かって突出する第四の突端部７７３ｂを有している。第三の対向端部７７１ａと第四の対向端部７７３ａとの間には、溝が形成されておらず表面が平坦な第二の平坦部７７６が設けられている。第二の平坦部７７６は第一の平坦部７７５と一部が重複している。第三の対向端部７７１ａは、第二の平坦部７７６に繋がる第三の溝７６７の終端部側壁になっている。第四の対向端部７７３ａは、第二の平坦部７７６に繋がる第四の溝７７３の終端部側壁になっている。第二の平坦部７７６の表面を含む平面内での第三の対向端部７７１ａの輪郭は、第三の突端部７７１ｂを頂部とする二等辺を有し頂角が直角である形状を有している。同様に第四の対向端部７７３ａの輪郭は、第四の突端部７７３ｂを頂部とする二等辺を有し頂角が直角である形状を有している。なお、第三の対向端部７７１ａおよび第四の対向端部７７１ａの輪郭はこれに限らず、頂角は鋭角であっても鈍角であってもよいし、さらに第三の対向端部７７１ａおよび第四の対向端部７７３ａの輪郭が例えば円弧を描く曲線の凸形状であってもよい。また、本実施例では、第一の対向端部７６７ａ、第二の対向端部７６９ａ、第三の対向端部７７１ａ、および第四の対向端部７７３ａの輪郭は同形状になっているが、これに限らず各対向端部の輪郭形状が異なっていてもよい。
【０１６１】
本実施例の各溝は、溝の延伸方向に沿って対向する２つの斜平面が溝底部で交わる形状をしており、溝の延伸方向に見て溝底部が凹状になっている。溝の延伸方向に直交する平面で切断した各溝の断面形状はＶ字形状になっている。板状部７６２の露出面側から観察すると、各溝の溝底部は、溝中央を溝の延伸方向に走る一本の直線として視認される。
【０１６２】
従って、第一の溝７６７は、溝の延伸方向（第一の仮想直線Ｌ１の延びる方向）に沿って対向する２つの斜平面が第一の溝底部７６７ｃで交わる形状をしており、溝の延伸方向に見て第一の溝底部７６７ｃは凹状になっている。溝の延伸方向に直交する平面で切断した第一の溝７６７の断面形状はＶ字形状になっている。板状部７６２の露出面側から観察すると、第一の溝底部７６７ｃは、溝中央を溝の延伸方向に走る一本の直線として視認される。また、第一の突端部７６７ｂは、第一の溝７６７の終端部側壁をなす第一の対向端部７６７ａが第一の溝底部７６７ｃと交わる位置に設けられている。
【０１６３】
第二の溝７６９は、溝の延伸方向（第一の仮想直線Ｌ１の延びる方向）に沿って対向する２つの斜平面が第二の溝底部７６９ｃで交わる形状をしており、溝の延伸方向に見て第二の溝底部７６９ｃは凹状になっている。溝の延伸方向に直交する平面で切断した第二の溝７６９の断面形状はＶ字形状になっている。板状部７６２の露出面側から観察すると、第二の溝底部７６９ｃは、溝中央を溝の延伸方向に走る一本の直線として視認される。また、第二の突端部７６９ｂは、第二の溝７６９の終端部側壁をなす第二の対向端部７６９ａが第二の溝底部７６９ｃと交わる位置に設けられている。
【０１６４】
第三の溝７７１は、溝の延伸方向（第二の仮想直線Ｌ２の延びる方向）に沿って対向する２つの斜平面が第三の溝底部７７１ｃで交わる形状をしており、溝の延伸方向に見て第三の溝底部７７１ｃは凹状になっている。溝の延伸方向に直交する平面で切断した第三の溝７７１の断面形状はＶ字形状になっている。板状部７６２の露出面側から観察すると、第三の溝底部７７１ｃは、溝中央を溝の延伸方向に走る一本の直線として視認される。また、第三の突端部７７１ｂは、第三の溝７７１の終端部側壁をなす第三の対向端部７７１ａが第三の溝底部７７１ｃと交わる位置に設けられている。
【０１６５】
第四の溝７７３は、溝の延伸方向（第二の仮想直線Ｌ２の延びる方向）に沿って対向する２つの斜平面が第四の溝底部７７３ｃで交わる形状をしており、溝の延伸方向に見て第四の溝底部７７３ｃは凹状になっている。溝の延伸方向に直交する平面で切断した第四の溝７７３の断面形状はＶ字形状になっている。板状部７６２の露出面側から観察すると、第四の溝底部７７３ｃは、溝中央を溝の延伸方向に走る一本の直線として視認される。また、第四の突端部７７３ｂは、第四の溝７７３の終端部側壁をなす第四の対向端部７７３ａが第四の溝底部７７３ｃと交わる位置に設けられている。
【０１６６】
本例では溝を構成する２つの斜平面は、溝底部をなす直線を含む平面に対して対称な形状になっているが、これに限定されるものではなく、非対称であってもよい。また、対向する２つの斜平面に続いて対向する２つの平行平面が溝側面に設けられていてもよい。また、Ｕ字形状や半円形状、角形状など、Ｖ字形状以外の溝断面を有する溝であってもよい。また、溝底部が凹状でなく平面状になっていてもよい。
【０１６７】
図１７（ａ）に示す破線の四角形領域には第一の溝７６７、第二の溝７６９、第三の溝７７１、第四の溝７７３、第一の平坦部７７５、および第二の平坦部７７６が含まれており、当該四角形領域を第一のユニット９００とすると、板状部７６２の露出面には第一のユニット９００と同形状のユニットが、第一のユニット９００の上方向に１個半配置され、間隔を置いてさらに上方向に２個半配置され、さらに第一のユニット９００の下方向に３個配置されている。
【０１６８】
第二の破断容易部７６１の板状部７６２は複数の溝が形成されているので、溝が形成されていない板と比較して断面積の小さい領域が多くなっている。板状部７６２に力が作用すると断面積の小さい領域で容易に破断を生じさせることができる。また、本実施例では、溝がＶ字形状になっているので、板状部７６２に負荷をかけると、断面積が最小となる溝底部に力が集中するため、底部領域（例えば、第一の溝底部７６７ｃや、第二の溝底部７６９ｃ、第三の溝底部７７１ｃ、第四の溝底部７７３ｃ等）で容易に破断を生じさせることができる。このため、ベース部材２２３ａの右側の周縁部の先端部と蓋部材２２３ｂの右側の周縁部の先端部の接触部にドライバ（ねじ回し）などの先端が鋭利な部材を差し込んでベース部材２２３ａと蓋部材２２３ｂとの間を分離して不正な行為をしようとすると、ベース部材２２３ａと蓋部材２２３ｂの接触部を塞いで貼り付けられている第二の破断容易部７６１が容易に破断して破断部が視認されるため不正の痕跡を残すことができる。このように、第二の破断容易部７６１は、副制御基板収納部２２３に比べて破断容易な構造を有している。第二の破断容易部７６１を副制御基板収納部２２３とは別に設けているので、副制御基板収納部２２３の強度を低下させずに不正行為者による不正の痕跡をより残し易くすることができる。
【０１６９】
図１７（ｂ）に示すように、板状部７６２は、副制御基板収納部２２３と対面する表面側に、接着剤を塗布するための複数の接着剤塗布用溝７６６を有している。接着剤が接着剤塗布用溝７６６に留まることにより、第二の破断容易部７６１をより強固に副制御基板収納部２２３に固定することができる。
【０１７０】
図１７（ｂ）および図１７（ｃ）に示すように、板状部７６２は、副制御基板収納部２２３と対面する表面側に２つの突起部７６５を有している。２つの突起部７６５は、それぞれ副制御基板収納部２２３に設けられた２つの差し込み孔２９５に差し込まれて、第二の破断容易部７６１を副制御基板収納部２２３に固定する際の位置決め用の突起部として用いられる。
【０１７１】
次に、図１８を用いて、本実施の形態の実施例３による第二の破断容易部７６１の断面形状について説明する。図１８において、図９乃至図１７を用いて説明したものと同一の構成要素には同一の符号を付してその詳細な説明は省略する。図１８（ａ）は、第二の破断容易部７６１の露出面側の一部を示している。図１８（ｂ）は、図１８（ａ）のＣ−Ｃ線で第二の破断容易部７６１を切断して矢印方向に見た断面図である。
【０１７２】
図１８（ａ）に示すように、第一の仮想直線Ｌ１は第一の溝７６７の第一の溝底部７６７ｃと第二の溝７６９の第二の溝底部７６９ｃで視認される直線に一致している。Ｃ−Ｃ線は、第一の仮想直線Ｌ１に対して溝幅の１／４程度の距離だけ上方向（または前方向）に平行移動した位置にある。図１８（ｂ）は、第一の仮想直線Ｌ１に平行なＣ−Ｃ線を含み第一の平坦部７７５の表面に直交する平面で第一の溝７６７、第二の溝７６９、および第一の平坦部７７５を切断した断面を示している。当該断面には、第一の平坦部７７５の平坦面の断面と、第一の溝７６７の延伸方向に沿う斜平面の溝表面７６７ｘの断面、第二の溝７６９の延伸方向に沿う斜平面の溝表面７６９ｘの断面、第一の溝７６７の終端部側壁として第一の平坦部７７５に繋がる第一の対向端部７６７ａ、および第二の溝７６９の終端部側壁として第一の平坦部７７５に繋がる第二の対向端部７６９ａが示されている。
【０１７３】
図１８（ｂ）に示すように、第一の仮想直線Ｌ１に平行で第一の平坦部７７５の表面に直交する平面で切断した断面において、第一の対向端部７６７ａは第一の溝７６７の溝表面７６７ｘと第一の平坦部７７５の表面に対して直交している。また、当該断面において、第二の対向端部７６９ａは第二の溝７６９の溝表面７６９ｘと第一の平坦部７７５の表面に対して直交している。
【０１７４】
Ｃ−Ｃ線の位置を第一の仮想直線Ｌ１に一致させて切断した場合の切断面では、第一の対向端部７６７ａの第一の突端部７６７ｂが第一の溝７６７の第一の溝底部７６７ｃと第一の平坦部７７５の表面に対して直交する。また、当該断面において、第二の対向端部７６９ａの第二の突端部７６９ｂが第二の溝７６９の第二の溝底部７６９ｃと第一の平坦部７７５の表面に対して直交する。
【０１７５】
Ｃ−Ｃ線の位置を第一の仮想直線Ｌ１から遠ざけると、切断面における第一の平坦部７７５の表面の幅が長くなり、第一の溝７６７の溝表面７６７ｘの高さが第一の平坦部７７５の表面の高さに近づくように変化するが、第一の対向端部７６７ａが第一の溝７６７の溝表面７６７ｘと第一の平坦部７７５の表面に対して直交している状態は維持される。同様に、第二の溝７６９の溝表面７６９ｘの高さが第一の平坦部７７５の表面の高さに近づくように変化するが、第二の対向端部７６９ａが第二の溝７６９の溝表面７６９ｘと第一の平坦部７７５の表面に対して直交している状態は維持される。
【０１７６】
また、第一の仮想直線Ｌ１に平行で第一の平坦部７７５の表面に直交する平面で切断した断面において、第一の溝７６７の溝表面７６７ｘと第二の溝７６９の溝表面７６９ｘの高さはほぼ同一であり、第一の対向端部７６７ａと第二の対向端部７６９ａの高さもほぼ同一である。従って、当該断面において、溝表面７６７ｘと第一の対向端部７６７ａの交点と、第一の対向端部７６７ａと第一の平坦部７７５の交点、第一の平坦部７７５と第二の対向端部７６９ａの交点、および第二の対向端部７６９ａと溝表面７６９ｘとの交点で作られる四角形は長方形となる。
【０１７７】
このため、第一の対向端部７６７ａである終端部側壁の壁面と第一の溝７６７の溝表面７６７ｘとの交線は直線状に視認され、第一の対向端部７６７ａである終端部側壁の壁面と第一の平坦部７７５の表面との交線も直線状に視認される。しかしながら、図１８（ｂ）に示すように、第一の対向端部７６７ａの終端部側壁の壁面と平行な方向から第二の破断容易部７６１の露出面を観察した場合は、第一の対向端部７６７ａの壁面と第一の溝７６７の溝表面７６７ｘとの交線と、第一の対向端部７６７ａの壁面と第一の平坦部７７５の表面との交線とが一致して重なるため、視認される直線は一本となる。
【０１７８】
同様に、第二の対向端部７６９ａである終端部側壁の壁面と第二の溝７６９の溝表面７６９ｘとの交線は直線状に視認され、第二の対向端部７６９ａである終端部側壁の壁面と第一の平坦部７７５の表面との交線も直線状に視認される。しかしながら、図１８（ｂ）に示すように、第二の対向端部７６９ａの終端部側壁の壁面と平行な方向から第二の破断容易部７６１の露出面を観察した場合は、第二の対向端部７６９ａの壁面と第二の溝７６９の溝表面７６９ｘとの交線と、第二の対向端部７６９ａの壁面と第一の平坦部７７５の表面との交線とが一致して重なるため、視認される直線は一本となる。
【０１７９】
図示は省略したが、第二の仮想直線Ｌ２に平行で第二の平坦部７７６の表面に直交する平面で切断した断面において、第三の対向端部７７１ａは第三の溝７７１の溝表面と第二の平坦部７７６の表面に対して直交している。また、当該断面において、第四の対向端部７７３ａは第四の溝７７３の溝表面と第二の平坦部７７６の表面に対して直交している。
【０１８０】
このため、第三の対向端部７７１ａである終端部側壁の壁面と第三の溝７７１の溝表面との交線は直線状に視認され、第三の対向端部７７１ａである終端部側壁の壁面と第二の平坦部７７６の表面との交線も直線状に視認される。しかしながら、第三の対向端部７７１ａの終端部側壁の壁面と平行な方向から第二の破断容易部７６１の露出面を観察した場合は、第三の対向端部７７１ａの壁面と第三の溝７７１の溝表面との交線と、第三の対向端部７７１ａの壁面と第二の平坦部７７６の表面との交線とが一致して重なるため、視認される直線は一本となる。
【０１８１】
同様に、第四の対向端部７７３ａである終端部側壁の壁面と第四の溝７７３の溝表面との交線は直線状に視認され、第四の対向端部７７３ａである終端部側壁の壁面と第二の平坦部７７６の表面との交線も直線状に視認される。しかしながら、第四の対向端部７７３ａの終端部側壁の壁面と平行な方向から第二の破断容易部７６１の露出面を観察した場合は、第四の対向端部７７３ａの壁面と第四の溝７７３の溝表面との交線と、第四の対向端部７７３ａの壁面と第二の平坦部７７６の表面との交線とが一致して重なるため、視認される直線は一本となる。
【０１８２】
このように、本実施例による第二の破断容易部７６１に設けられた溝構造（溝形状）によれば、第二の破断容易部７６１が破断して生じる破断線の視認を阻害する線状の模様の数を減らすことができるので、破断線を明確に視認することができる。
【０１８３】
次に、図１９を用いて、本実施例の第二の破断容易部７６１による効果について説明する。図１９において、図９乃至図１８を用いて説明したものと同一の構成要素には同一の符号を付してその詳細な説明は省略する。図１９（ａ）は、図１７（ａ）の実線で示す楕円ｅ内の領域が破断した状態を拡大して示した部分拡大図である。図１９（ｂ）は、第二の破断容易部７６１の破断した領域を整えた状態を示す部分拡大図である。
【０１８４】
ベース部材２２３ａの右側の周縁部の先端部と蓋部材２２３ｂの右側の周縁部の先端部の接触部に例えばドライバを差し込んでベース部材２２３ａと蓋部材２２３ｂとの間を分離しようとする場合には、ベース部材２２３ａと蓋部材２２３ｂの接触部を塞いで貼り付けられている第二の破断容易部７６１が容易に破断する。図１９（ａ）に示すように、本実施例では、例えば、第三の溝７７１から第四の溝７７３に向かって（上下方向に対して約４５°の角度で後下から前上に向かって）第二の平坦部７７６を通って破断が生じる。第二の平坦部７７６には溝が形成されていないので、断面積は小さくなく、本来であれば板状部７６２に力が作用しても容易に破断は生じるものではない。しかしながら本実施例では、例えば第三の溝７７１近傍に力が作用して第三の溝７７１に破断部を生じさせ、さらに力が第三の溝７７１に隣接する第二の平坦部７７６に及んで破断部を生じさせ、さらにまた力が第四の溝７７３にも及んで破断部を生じさせている。
【０１８５】
破断部に生じる破断線が溝底部に一致して一直線状に形成されることは極めて稀である。図１９（ａ）に示すように一般に、破断線は第三の溝７７１と第四の溝７７３の溝底部に沿って一直線状に形成されておらず、破断線の少なくとも一部は溝底部と重なっていない。このため、不正行為者が破断部を整えて生じたズレを元に戻しても、図１９（ｂ）に示すように、依然として破断線を視認することができ、不正の痕跡Ｕを残すことができる。さらに、第二の平坦部７７６は溝が形成されていない平坦面であるため、第二の平坦部７７６で破断が生じた場合は、生じた破断線が溝底部と重なることがなく容易に不正の痕跡を視認できる。このため、不正行為者が破断部を整えて生じたズレを元に戻しても、依然として第二の平坦部７７６で確実に破断線を視認することができ、不正の痕跡Ｕを確実に残すことができる。本実施例によれば第二の平坦部７７６に破断線を生じさせることができるので、実施例１の図１５（ｂ）に示すような第二の平坦部を有さない第一の破断容易部７１１よりも容易に不正の痕跡を発見することができる。
【０１８６】
本実施例では、溝形状がＶ字形状になっているので、溝底部に沿って破断が生じ易く、溝底部の直線と破断線とが重なる場合があるが、溝形状によって、付加された力が集中する領域が異なるので、破断部が生じ易い領域は溝形状によって異なる。
【０１８７】
次に、図２０を用いて、本実施の形態の実施例３の変形例に係る第二の破断容易部の溝の形状について説明する。図２０において、図９乃至図１９を用いて説明したものと同一の構成要素には同一の符号を付してその詳細な説明は省略する。図２０（ａ）は、実施例３の変形例１に係る第二の破断容易部９６１の溝の形状を示す図である。図２０（ｂ）は、実施例３の変形例２に係る第二の破断容易部１７６１の溝の形状を示す図である。図２０（ｃ）は、実施例３の変形例３に係る第二の破断容易部８６１の露出面側の一部を示す図である。図２０（ｄ）は、図２０（ｃ）のＤ−Ｄ線で第二の破断容易部８６１を切断して矢印方向に見た断面図である。
【０１８８】
図２０（ａ）に示すように、板状部９６２の露出面には、第一の溝９６７、第二の溝９６９、第三の溝９７１、および第四の溝９７３が形成されている。第一の溝９６７および第二の溝９６９は、上下方向に対して例えば４５°の角度で後上から前下に延びている。第三の溝９７１および第四の溝９７３は、上下方向に対して例えば４５°の角度で前上から後下に延びている。
【０１８９】
第一の溝９６７は、第二の溝９６９と対向する第一の対向端部９６７ａを有している。第二の溝９６９は、第一の溝９６７と対向する第二の対向端部９６９ａを有している。第一の対向端部９６７ａと第二の対向端部９６９ａとの間には、溝が形成されておらず表面が平坦な第一の平坦部９７５が設けられている。
【０１９０】
また、第三の溝９７１は、第四の溝９７３と対向する第三の対向端部９７１ａを有している。第四の溝９７３は、第三の溝９７１と対向する第四の対向端部９７３ａを有している。第三の対向端部９７１ａと第四の対向端部９７３ａとの間には、溝が形成されておらず表面が平坦な第二の平坦部９７６が設けられている。
【０１９１】
また、溝の延伸方向に直交する平面で切断した第一の溝９６７〜第四の溝９７３の断面形状は、溝の延伸方向に見て平坦な底部を有する箱型形状になっている。溝が形成されている領域の断面積は、溝の形成されていない領域よりも小さいので、第二の破断容易部９６１に負荷をかけた場合に、第一の溝９６７〜第四の溝９７３が形成されている領域に破断線が生じ易い。従って、不正行為者による不正の痕跡を視認するには、第一の溝９６７〜第四の溝９７３に注目すれば効率的である。また、第一の溝９６７〜第四の溝９７３は、溝の断面積の大きさがどの領域においても同じなので、第二の破断容易部９６１に負荷をかけた場合に、特定の溝の領域に力が集中することはない。従って、第一の溝９６７〜第四の溝９７３において破断部が生じる領域を限定することは容易でなく、第一の溝９６７〜第四の溝９７３の領域全体、第一の平坦部９７５および第二の平坦部９７６の領域全体を視認する必要がある。
【０１９２】
図２０（ｂ）に示すように、板状部１７６２の露出面には、第一の溝１７６７、第二の溝１７６９、第三の溝１７７１、および第四の溝１７７３が形成されている。第一の溝１７６７および第二の溝１７６９は、上下方向に対して例えば４５°の角度で後上から前下に延びている。第三の溝１７７１および第四の溝１７７３は、上下方向に対して例えば４５°の角度で前上から後下に延びている。
【０１９３】
第一の溝１７６７は、第二の溝１７６９と対向する第一の対向端部１７６７ａを有している。第二の溝１７６９は、第一の溝１７６７と対向する第二の対向端部１７６９ａを有している。第一の対向端部１７６７ａと第二の対向端部１７６９ａとの間には、溝が形成されておらず表面が平坦な第一の平坦部１７７５が設けられている。
【０１９４】
また、第三の溝１７７１は、第四の溝１７７３と対向する第三の対向端部１７７１ａを有している。第四の溝１７７３は、第三の溝１７７１と対向する第四の対向端部１７７３ａを有している。第三の対向端部１７７１ａと第四の対向端部１７７３ａとの間には、溝が形成されておらず表面が平坦な第二の平坦部１７７６が設けられている。
【０１９５】
第一の対向端部１７６７ａは、第二の溝１７６９に向かって突出する第一の突端部１７６７ｂを有している。第二の対向端部１７６９ａは、第一の溝１７６７に向かって突出する第二の突端部１７６９ｂを有している。第三の対向端部１７７１ａは、第四の溝１７７３に向かって突出する第三の突端部１７７１ｂを有している。第四の対向端部１７７３ａは、第三の溝１７７１に向かって突出する第四の突端部１７７３ｂを有している。第一の平坦部１７７５の表面を含む平面内での第一の対向端部１７６７ａの輪郭は、第一の突端部１７６７ｂを頂部とする二等辺を有し頂角が直角である形状を有している。同様に第二の対向端部１７６９ａの輪郭は、第二の突端部１７６９ｂを頂部とする二等辺を有し頂角が直角である形状を有している。なお、第一の対向端部１７６７ａおよび第二の対向端部１７６９ａの輪郭はこれに限らず、頂角は鋭角であっても鈍角であってもよいし、さらに第一の対向端部１７６７ａおよび第二の対向端部１７６９ａの輪郭が例えば円弧を描く曲線の凸形状であってもよい。第二の平坦部１７７６の表面を含む平面内での第三の対向端部１７７１ａの輪郭は、第三の突端部１７７１ｂを頂部とする二等辺を有し頂角が直角である形状を有している。同様に第四の対向端部１７７３ａの輪郭は、第四の突端部１７７３ｂを頂部とする二等辺を有し頂角が直角である形状を有している。なお、第三の対向端部１７７１ａおよび第四の対向端部１７７１ａの輪郭はこれに限らず、頂角は鋭角であっても鈍角であってもよいし、さらに第三の対向端部１７７１ａおよび第四の対向端部１７７３ａの輪郭が例えば円弧を描く曲線の凸形状であってもよい。また、本実施例では、第一の対向端部１７６７ａ、第二の対向端部１７６９ａ、第三の対向端部１７７１ａ、および第四の対向端部１７７３ａの輪郭は同形状になっているが、これに限らず各対向端部の輪郭形状が異なっていてもよい。
【０１９６】
図２０（ｂ）に示す溝の延伸方向に直交する平面で切断した第一の溝１７６７〜第四の溝１７７３の断面形状は、溝の延伸方向に見て平坦な底部を有する箱型形状になっている。第一の溝１７６７〜第四の溝１７７３は、溝の断面積の大きさがどの領域においても同じなので、第二の破断容易部１７６１に負荷をかけた場合に、特定の溝の領域に力が集中することはない。従って、破断部が生じる溝領域の部分を限定することは容易でなく、不正行為者による不正の痕跡を視認するには、第一の溝１７６７〜第四の溝１７７３の領域全体、第一の平坦部１７７５および第二の平坦部１７７６の領域全体を視認する必要ある。しかしながら、第一の突端部１７６７ｂ〜第四の突端部１７７３ｂが設けられているので、第一の平坦部１７７５および第二の平坦部１７７６の領域は、図２０（ａ）に示す第一の平坦部９７５や第二の平坦部９７６よりも小さくなっている。従って、不正の痕跡を見つけるにあたって視認する必要のある領域の面積をさらに小さくすることができる。
【０１９７】
次に、図２０（ｃ）および図２０（ｄ）を用いて、実施例３の変形例３による第二の破断容易部８６１の断面形状について説明する。図２０（ｃ）に示すように、第一の仮想直線Ｌ１は第一の溝８６７の第一の溝底部８６７ｃと第二の溝８６９の第二の溝底部８６９ｃで視認される直線に一致している。Ｄ−Ｄ線は、第一の仮想直線Ｌ１に対して溝幅の１／４程度の距離だけ上方向（または前方向）に平行移動した位置にある。図２０（ｄ）は、第一の仮想直線Ｌ１に平行なＣ−Ｃ線を含み第一の平坦部８７５の表面に直交する平面で第一の溝８６７、第二の溝８６９、および第一の平坦部８７５を切断した断面を示している。当該断面には、第一の平坦部８７５の平坦面の断面と、第一の溝８６７の延伸方向に沿う斜平面の溝表面８６７ｘの断面、第二の溝８６９の延伸方向に沿う斜平面の溝表面８６９ｘの断面、第一の溝８６７の終端部側壁として第一の平坦部８７５に繋がる第一の対向端部８６７ａ、および第二の溝８６９の終端部側壁として第一の平坦部８７５に繋がる第二の対向端部８６９ａが示されている。
【０１９８】
図２０（ｄ）に示すように、第一の仮想直線Ｌ１に平行で第一の平坦部８７５の表面に直交する平面で切断した断面において、第一の対向端部８６７ａは第一の溝８６７の溝表面８６７ｘと第一の平坦部８７５の表面に対して直交しておらず、第一の溝８６７の溝表面８６７ｘから第一の平坦部８７５の表面に向かう上り傾斜直線になっている。また、当該断面において、第二の対向端部８６９ａは第二の溝８６９の溝表面８６９ｘと第一の平坦部８７５の表面に対して直交しておらず、第二の溝８６９の溝表面８６９ｘから第一の平坦部８７５の表面に向かう上り傾斜直線になっている。
【０１９９】
Ｄ−Ｄ線の位置を第一の仮想直線Ｌ１に一致させて切断した場合の切断面では、第一の対向端部８６７ａの第一の突端部８６７ｂは第一の溝８６７の第一の溝底部８６７ｃと第一の平坦部７７５の表面に対して直交しておらず、第一の溝８６７の第一の溝底部８６７ｃから第一の平坦部８７５の表面に向かう上り傾斜直線になっている。また、当該断面において、第二の対向端部８６９ａの第二の突端部８６９ｂは第二の溝８６９の第二の溝底部８６９ｃと第一の平坦部８７５の表面に対して直交しておらず、第二の溝８６９の第二の溝底部８６９ｃから第一の平坦部８７５の表面に向かう上り傾斜直線になっている。
【０２００】
Ｄ−Ｄ線の位置を第一の仮想直線Ｌ１から遠ざけると、切断面における第一の平坦部８７５の表面の幅が長くなり、第一の溝８６７の溝表面８６７ｘの高さが第一の平坦部８７５の表面の高さに近づくように変化するが、第一の溝８６７の溝表面９６７ｘから第一の平坦部８７５の表面に向かう第一の対向端部８６７ａの上り傾斜直線の傾斜角は同一に維持される。同様に、第二の溝８６９の溝表面８６９ｘの高さが第一の平坦部８７５の表面の高さに近づくように変化するが、第二の溝８６９の溝表面９６９ｘから第一の平坦部８７５の表面に向かう第二の対向端部８６９ａの上り傾斜直線の傾斜角は同一に維持される。
【０２０１】
また、第一の仮想直線Ｌ１に平行で第一の平坦部７７５の表面に直交する平面で切断した断面において、第一の溝８６７の溝表面８６７ｘと第二の溝８６９の溝表面８６９ｘの高さはほぼ同一であり、第一の対向端部８６７ａと第二の対向端部８６９ａの高さもほぼ同一である。従って、当該断面において、溝表面８６７ｘと第一の対向端部８６７ａの交点と、第一の対向端部８６７ａと第一の平坦部８７５の交点、第一の平坦部８７５と第二の対向端部８６９ａの交点、および第二の対向端部８６９ａと溝表面８６９ｘとの交点で作られる四角形は等脚台形となる。
【０２０２】
このため、第一の対向端部８６７ａである終端部側壁の壁面と第一の溝８６７の溝表面８６７ｘとの交線８６７ｄは直線状に視認され、第一の対向端部８６７ａである終端部側壁の壁面と第一の平坦部８７５の表面との交線も直線状に視認される。図１８（ｂ）に示すものと同様な方向から第二の破断容易部８６１の露出面を観察した場合は、第一の対向端部８６７ａの壁面と第一の溝８６７の溝表面８６７ｘとの交線８６７ｄと、第一の対向端部８６７ａの壁面と第一の平坦部８７５の表面との交線とが一致しないため、視認される直線は二本となる。
【０２０３】
同様に、第二の対向端部８６９ａである終端部側壁の壁面と第二の溝８６９の溝表面８６９ｘとの交線８６９ｄは直線状に視認され、第二の対向端部８６９ａである終端部側壁の壁面と第一の平坦部８７５の表面との交線も直線状に視認される。図１８（ｂ）に示すものと同様な方向から第二の破断容易部８６１の露出面を観察した場合は、第二の対向端部８６９ａの壁面と第二の溝８６９の溝表面８６９ｘとの交線８６９ｄと、第二の対向端部８６９ａの壁面と第一の平坦部８７５の表面との交線とが一致しないため、視認される直線は二本となる。
【０２０４】
図示は省略したが、第二の仮想直線Ｌ２に平行で第二の平坦部８７６の表面に直交する平面で切断した断面において、第三の対向端部８７１ａは第三の溝８７１の溝表面と第二の平坦部８７６の表面に対して直交しておらず、第三の溝８７１の溝表面８７１ｘから第二の平坦部８７６の表面に向かう上り傾斜直線になっている。また、当該断面において、第四の対向端部８７３ａは第四の溝８７３の溝表面と第二の平坦部８７６の表面に対して直交しておらず、第四の溝８７３の溝表面８７３ｘから第二の平坦部８７６の表面に向かう上り傾斜直線になっている。
【０２０５】
このため、第三の対向端部８７１ａである終端部側壁の壁面と第三の溝８７１の溝表面との交線は直線状に視認され、第三の対向端部８７１ａである終端部側壁の壁面と第二の平坦部８７６の表面との交線も直線状に視認される。図１８（ｂ）に示すものと同様な方向から第二の破断容易部８６１の露出面を観察した場合は、第三の対向端部８７１ａの壁面と第三の溝８７１の溝表面との交線と、第三の対向端部８７１ａの壁面と第二の平坦部８７６の表面との交線とが一致しないため、視認される直線は二本となる。
【０２０６】
同様に、第四の対向端部８７３ａである終端部側壁の壁面と第四の溝８７３の溝表面との交線は直線状に視認され、第四の対向端部８７３ａである終端部側壁の壁面と第二の平坦部８７６の表面との交線も直線状に視認される。図１８（ｂ）に示すものと同様な方向から第二の破断容易部８６１の露出面を観察した場合は、第四の対向端部８７３ａの壁面と第四の溝８７３の溝表面との交線と、第四の対向端部８７３ａの壁面と第二の平坦部８７６の表面との交線とが一致しないため、視認される直線は二本となる。
【０２０７】
このように、本変形例による第二の破断容易部８６１に設けられた溝構造（溝形状）では、実施例３の第二の破断容易部７６１に比して、第二の破断容易部８６１が破断して生じる破断線の視認を阻害する線状の模様の数が一本増えてしまうが、破断線を視認により確認することは可能である。
【０２０８】
次に、図２１を用いて、本実施の形態の実施例４による第二の破断容易部７６１について説明する。図２１において、実施例３に示すものと同一機能あるいは作用を奏する構成要素には同一の符号を付してその詳細な説明は省略する。図２１（ａ）は、第二の破断容易部７６１を右から左に向かって見た正面図であり、第二の破断容易部７６１の副制御基板収納部２２３に対面する表面とは反対の露出面側を示している。図２１（ａ）は、実線で示す楕円内の領域の大きさが異なる以外は図１７（ａ）と同様である。図２１（ｂ）は、図２１（ａ）の実線で示す楕円ｆ内の領域を拡大して示した部分拡大図である。図２１（ｃ）は、図２１（ｂ）のＥ−Ｅ線で第二の破断容易部７６１を切断して矢印方向に見た断面図である。
【０２０９】
図２１（ｂ）に示すように、第一の溝７６７、第二の溝７６９、第三の溝７７１、第四の溝７７３、第一の平坦部７７５、および第二の平坦部７７６を含む第一のユニット９００の上側に第二のユニット９１０が配置され、下側に第三のユニット９２０が配置されている。第一のユニット９００の第一の溝７６７の第一の対向端部７６７ａの第一の突端部７６７ｂと第三の溝７７１の第三の対向端部７７１ａの第三の突端部７７１ｂとを結ぶ直線を第四の仮想直線Ｌ４とすると、第二のユニット９１０内と第三のユニット９２０内の第一の突端部７６７ｂと第三の突端部７７１ｂに対応する位置は第四の仮想直線Ｌ４上にある。
【０２１０】
Ｅ−Ｅ線の位置は第四の仮想直線Ｌ４に一致している。図２１（ｃ）に示すように、Ｅ−Ｅ線で切断した断面において、板状部７６２の露出面側には、第一のユニット９００の位置に溝ｈ、溝ｈ´が配置され、第二のユニット９１０の位置に溝ｉ、溝ｉ´が配置され、第三のユニット９２０の位置に溝ｊ、溝ｊ´が配置されている。
【０２１１】
他の断面の断面積に比して第四の仮想直線Ｌ４に沿う方向の断面積が小さくなるので、第四の仮想直線Ｌ４に沿う方向は破断され易くなっている。従って、第四の仮想直線Ｌ４の両側で互いに逆向きの力のモーメントが作用すると、第四の仮想直線Ｌ４に沿って上下方向に破断を生じさせることができる。このように板状部７６２は、第一の溝６７６〜第四の溝７７３の延伸方向以外にも別の破断容易な方向を有しているので、不正行為等により板状部７６２に力が作用した場合に容易に破断して破断の痕跡を残せるという優れた効果を奏することができる。また、第四の仮想直線Ｌ４に沿う方向の破断容易領域における破断容易性は、第一の溝６７６〜第四の溝７７３の溝底部が延びる領域における破断容易性と同等である。本例では第一のユニット９００〜第三のユニット９２０の三箇所に跨る破断容易領域について説明したが、第一のユニット９００と第二のユニット９１０、または第一のユニット９００と第三のユニット９２０の二箇所だけでも破断容易な領域を構成できる。
【０２１２】
次に、図２２を用いて、本発明の一実施の形態の実施例５によるスロットマシン１００の第三の破断容易部について説明する。図２２（ａ）〜（ｃ）は、実施例１による第一の破断容易部７１１を示し、図２２（ｄ）〜（ｆ）は、実施例３による第二の破断容易部７７３を示し、図２２（ｇ）は、本実施例による第三の破断容易部８００を示している。図２２（ｃ）、（ｆ）は溝がない領域の板状部の断面を示しており、いずれの板状部も同一の板厚を有している。図２２（ａ）は、実施例１による図１３（ａ）に示す第一の破断容易部７１１の第一の交差部７３３と同等の交差部を示している。図２２（ｂ）は、図２２（ａ）のＦ−Ｆ線で切断した断面を示している。図２２（ｄ）は、実施例３による図１７（ｄ）に示す第二の破断容易部７６１の第一のユニット９００と同等のユニットを示している。図２２（ｅ）は、図２２（ｄ）のＧ−Ｇ線で切断した断面を示している。図２２（ｇ）は、本実施例によるユニットを示している。
【０２１３】
図２２（ａ）に示す第一の破断容易部７１１において、交差部の中心と一方の貫通溝の溝中心を通る仮想直線Ｌ５に一致するＦ−Ｆ線で切断した断面は図２２（ｂ）に示すように、板状部の板厚が一様に薄くなっているため、Ｆ−Ｆ線で切断した断面を図２２（ｂ）の矢印で示す方向に変形させやすくなる。さらに、Ｆ−Ｆ線に直交する直線上であり、Ｆ−Ｆ線を跨いだ位置に設けられた溝部に応力が集中するため、容易に破断させることができる。また、Ｆ−Ｆ線に直交した方向で切断した断面もＦ−Ｆ線で切断した断面と同様に板状部の板厚が一様に薄くなっているため、Ｆ−Ｆ線に沿って設けられた溝部についても同様の効果を得ることができる。そのため、第一の破断容易部７１１は破断させやすいものであると言える。
【０２１４】
図２２（ｄ）に示す第二の破断容易部７６１において、ユニットの中心と一対の対向する２つの溝の溝中心を通る仮想直線Ｌ５に一致するＧ−Ｇ線で切断した断面は図２２（ｅ）に示すように、平坦部の板厚は減少していないが、溝部の板厚が薄くなっているため、Ｇ−Ｇ線で切断した断面を図２２（ｅ）の矢印で示す方向に変形させやすくなる。さらにＧ−Ｇ線に直交する直線上であり、Ｇ−Ｇ線を跨いだ位置に設けられた溝部に応力が集中するため、容易に破断させることができる。また、Ｇ−Ｇ線に直交した方向で切断した断面もＧ−Ｇ線で切断した断面と同様に溝部の板厚が薄くなっているため、Ｇ−Ｇ線に沿って設けられた溝部についても同様の効果を得ることができる。そのため、第二の破断容易部７６１は破断させやすいものであると言える。
【０２１５】
図２２（ｇ）は、図２２（ａ）および図２２（ｄ）のそれぞれに共通した溝部分を示したものである。少なくとも図２２（ｇ）に示す溝部を有していれば、図２２（ａ）および図２２（ｄ）で示した効果と同様の効果を得ることができる。
【０２１６】
次に、以上説明した一実施の形態によるスロットマシン１００の特徴的構成について再度図１乃至図２２を参照しつつ説明する。
（１）
遊技に関する制御を行う制御回路（例えば、基本回路４０２、駆動回路４２２、基本回路５０２、駆動回路５３０）を搭載した制御基板（例えば、第１副基板２２２、第２副基板２２４）と、
前記制御基板を収容する基板ケース（例えば、副制御基板収納ケース２２０）と、を備えた遊技台であって、
前記基板ケースは、前記制御基板を収容した基板収容部（例えば、副制御基板収納部２２３）と、該基板収容部に比べて破断容易な破断容易部（例えば、第一の破断容易部７１１、第二の破断容易部７６１）とを有しているものであり、
前記破断容易部は、第一の仮想直線（例えば、第一の仮想直線Ｌ１）に沿って設けられた第一の溝（例えば、第一の溝７２１）および第二の溝（例えば、第二の溝７２３）と、該第一の仮想直線の延びる方向とは異なる方向（例えば、直交する方向）に延びる第二の仮想直線（例えば、第二の仮想直線Ｌ２）に沿って設けられた第三の溝（例えば、第三の溝７２７）および第四の溝（例えば、第四の溝７２９）とを有しているものであり、
前記第一の溝は、前記第二の仮想直線に対して前記第二の溝の反対側に設けられたものであり、
前記第三の溝は、前記第一の仮想直線に対して前記第四の溝の反対側に設けられたものであることを特徴とする遊技台。
【０２１７】
上記遊技台によれば、不正行為等により破断容易部に力が作用した場合に、破断した部分に残る破断線を容易に視認することができ、破断の痕跡を視認しやすくすることができる。
【０２１８】
（２）
上記（１）に記載の遊技台であって、
前記第一の溝および前記第二の溝の端部のうち対向する端部側が接続されて一本の貫通溝（以下、「第一の貫通溝」（例えば、第一の貫通溝７２５）という。）が形成され、
前記第三の溝および前記第四の溝の端部のうち対向する端部側が接続されて一本の貫通溝（以下、「第二の貫通溝」（例えば、第二の貫通溝７３１）という。）が形成され、
前記破断容易部は、前記第一の貫通溝と前記第二の貫通溝とが交差して形成された第一の交差部（例えば、第一の交差部７３３）を有しているものであることを特徴とする遊技台。
【０２１９】
上記遊技台によれば、交差部を構成する２つの貫通溝のうちの一方の貫通溝によって、他方の貫通溝での破断を発生しやすくすることができる。
【０２２０】
（３）
上記（２）に記載の遊技台であって、
前記破断容易部は、さらに第二の交差部（例えば、第二の交差部７４５）を有しているものであり、
前記第二の交差部は、前記第一の貫通溝と前記第二の貫通溝とは異なる第三の貫通溝（例えば、第三の貫通溝７４１）と第四の貫通溝（例えば、第四の貫通溝７４３）とが交差して形成されたものであり、
前記第一の貫通溝乃至前記第四の貫通溝は、前記第一の交差部から前記第二の交差部に延びる第三の仮想直線（例えば、第三の仮想直線Ｌ３）の延びる方向とは異なる方向に延びるものであることを特徴とする遊技台。
【０２２１】
上記遊技台によれば、２つの貫通溝が重なっている部分である交差部は他の部分よりも脆弱であるため、２つの交差部によって構成される直線上での破断が発生しやすくなり、破断の痕跡をより残しやすくすることができる。
【０２２２】
（４）
上記（３）に記載の遊技台であって、
前記破断容易部は、前記第一の交差部と前記第二の交差部とは異なる位置に設けられた第三の交差部（例えば、第三の交差部７５１）を有しているものであり、
前記第三の交差部は、二本の貫通溝（例えば、第五の貫通溝７４７、第六の貫通溝７４９）が交差して形成されたものであり、
前記第三の交差部は、前記第三の仮想直線の上に配置されたものであり、
前記二本の貫通溝は、前記第一の貫通溝乃至前記第四の貫通溝とは異なるものであり、
前記二本の貫通溝は、前記第三の仮想直線の延びる方向とは異なる方向に延びるものであることを特徴とする遊技台。
【０２２３】
上記遊技台によれば、交差部によって構成される直線上での破断をより発生しやすくすることができる。
【０２２４】
（５）
上記（１）に記載の遊技台であって、
前記第一の溝（例えば、第一の溝７６７）は、前記第二の溝（例えば、第二の溝７６９）と対向する第一の対向端部（例えば、第一の対向端部７６７ａ）を有しているものであり、
前記第二の溝は、前記第一の溝と対向する第二の対向端部（例えば、第二の対向端部７６９ａ）を有しているものであり、
前記破断容易部は、前記第一の対向端部と前記第二の対向端部との間に、溝が形成されておらず表面が平坦な第一の平坦部（例えば、第一の平坦部７７５）を有しているものであり、
前記第三の溝（例えば、第三の溝７７１）は、前記第四の溝（例えば、第四の溝７７３）と対向する第三の対向端部（例えば、第三の対向端部７７１ａ）を有しているものであり、
前記第四の溝は、前記第三の溝と対向する第四の対向端部（例えば、第四の対向端部７７３ａ）を有しているものであり、
前記破断容易部は、前記第三の対向端部と前記第四の対向端部との間に、溝が形成されておらず表面が平坦な第二の平坦部（例えば、第二の平坦部７７６）を有しているものであることを特徴とする遊技台。
【０２２５】
（６）
上記（５）に記載の遊技台であって、
前記第一の対向端部は、前記第二の仮想直線に向かって突出する第一の突端部（例えば、第一の突端部７６７ｂ）を有しているものであり、
前記第二の対向端部は、前記第二の仮想直線に向かって突出する第二の突端部（例えば、第二の突端部７６９ｂ）を有しているものであり、
前記第三の対向端部は、前記第一の仮想直線に向かって突出する第三の突端部（例えば、第三の突端部７７１ｂ）を有しているものであり、
前記第四の対向端部は、前記第一の仮想直線に向かって突出する第四の突端部（例えば、第四の突端部７７３ｂ）を有しているものであることを特徴とする遊技台。
【０２２６】
上記遊技台によれば、破断部の場所を限定することができるため、破断の痕跡を視認しやすくすることができる。
【０２２７】
（７）
上記（６）に記載の遊技台であって、
前記第一の溝は、前記第一の仮想直線の延びる方向に見て対向する二つの斜平面が交わる第一の底部（例えば、第一の溝底部７６７ｃ）を有しているものであり、
前記第一の突端部は、前記第一の対向端部が前記第一の底部と交わる位置に設けられたものであり、
前記第二の溝は、前記第一の仮想直線の延びる方向に見て対向する二つの斜平面が交わる第二の底部（例えば、第二の溝底部７６９ｃ）を有しているものであり、
前記第二の突端部は、前記第二の対向端部が前記第二の底部と交わる位置に設けられたものであり、
前記第三の溝は、前記第二の仮想直線の延びる方向に見て対向する二つの斜平面が交わる第三の底部（例えば、第三の溝底部７７１ｃ）を有しているものであり、
前記第三の突端部は、前記第三の対向端部が前記第三の底部と交わる位置に設けられたものであり、
前記第四の溝は、前記第二の仮想直線の延びる方向に見て対向する二つの斜平面が交わる第四の底部（例えば、第四の溝底部７７３ｃ）を有しているものであり、
前記第四の突端部は、前記第四の対向端部が前記第四の底部と交わる位置に設けられたものであることを特徴とする遊技台。
【０２２８】
（８）
上記（５）乃至（７）のいずれか一項に記載の遊技台であって、
前記第一の対向端部は、前記第一の仮想直線に平行で前記第一の平坦部の前記表面に直交する平面で前記第一の溝および該第一の平坦部を切断した断面において、該第一の溝の溝表面（例えば、第一の溝底部７６７ｃ）に対して直交する部分（例えば、第一の突端部７６７ｂ）を有しているものであり、
前記第二の対向端部は、前記第一の仮想直線に平行で前記第一の平坦部の前記表面に直交する平面で前記第二の溝および該第一の平坦部を切断した断面において、該第二の溝の溝表面（例えば、第二の溝底部７６９ｃ）に対して直交する部分（例えば、第二の突端部７６９ｂ）を有しているものであり、
前記第三の対向端部は、前記第二の仮想直線に平行で前記第二の平坦部の前記表面に直交する平面で前記第三の溝および該第二の平坦部を切断した断面において、該第三の溝の溝表面（例えば、第三の溝底部７７１ｃ）に対して直交する部分（例えば、第三の突端部７７１ｂ）を有しているものであり、
前記第四の対向端部は、前記第二の仮想直線に平行で前記第二の平坦部の前記表面に直交する平面で前記第四の溝および該第二の平坦部を切断した断面において、該第四の溝の溝表面（例えば、第四の溝底部７７３ｃ）に対して直交する部分（例えば、第四の突端部７７３ｂ）を有しているものであることを特徴とする遊技台。
【０２２９】
上記遊技台によれば、溝を露出面側から見た際に見える線を少なくすることで、破断線を視認しやすくすることができるので、破断の痕跡を視認しやすくすることができる。
【０２３０】
（９）
上記（１）乃至（８）のいずれか一項に記載の遊技台であって、
前記破断容易部は、板状部（例えば、板状部７１２、板状部７６２）を有しているものであり、
前記板状部は、前記基板収容部に固定（例えば、接着剤による接着）されたものであることを特徴とする遊技台。
【０２３１】
上記遊技台によれば、基板収容部の強度を低下させることなく、不正の痕跡を残すことができる。
【０２３２】
（１０） 
上記（９）に記載の遊技台であって、
前記基板収容部は、内部に空気を流通させる空気孔（例えば、放熱孔２９７ａ、２９７ｂ）を有しているものであることを特徴とする遊技台。
（１１）
上記（１０）に記載の遊技台であって、
前記破断容易部は、前記空気孔に対応する位置に開口された開口部（例えば、開口部７１７）を有しているものであることを特徴とする遊技台。
（１２）
上記（１０）または（１１）に記載の遊技台であって、
前記板状部は、前記基板収容部と対面する表面側に、該基板収容部に固定する際に前記空気孔に差し込んで位置決めをする位置決め突起部（例えば、突起部７１４）を有しているものであることを特徴とする遊技台。
（１３）
上記（１０）乃至（１２）のいずれか一項に記載の遊技台であって、
前記板状部は、前記基板収容部と対面する表面側に、接着剤を塗布する接着剤塗布領域（例えば、接着剤塗布用溝７１９）を有しているものであることを特徴とする遊技台。
（１４）
上記（９）乃至（１３）のいずれか一項に記載の遊技台であって、
前記破断容易部は、透明樹脂材料で形成されたものであることを特徴とする遊技台。
（１５）
遊技に関する制御を行う制御回路（例えば、基本回路４０２、駆動回路４２２、基本回路５０２、駆動回路５３０）を搭載した制御基板（例えば、第１副基板２２２、第２副基板２２４）と、
前記制御基板を収容する基板ケース（例えば、副制御基板収納ケース２２０）と、を備えた遊技台であって、
前記基板ケースは、前記制御基板を収容した基板収容部（例えば、副制御基板収納部２２３）と、該基板収容部に比べて破断容易な破断容易部（例えば、第一の破断容易部７１１、第二の破断容易部７６１）とを有しているものであり、
前記破断容易部は、第一の仮想直線（例えば、第一の仮想直線Ｌ１）に沿って設けられた第一の溝（例えば、第一の溝７２１）および第二の溝（例えば、第二の溝７２３）と、該第一の仮想直線の延びる方向とは異なる方向（例えば、直交する方向）に延びる第二の仮想直線（例えば、第二の仮想直線Ｌ２）に沿って設けられた第三の溝（例えば、第三の溝７２７）および第四の溝（例えば、第四の溝７２９）とを有しているものであり、
前記第一の溝は、前記第二の仮想直線に対して前記第二の溝の反対側に設けられたものであり、
前記第三の溝は、前記第一の仮想直線に対して前記第四の溝の反対側に設けられたものであり、
前記第一の溝および前記第二の溝の端部のうち対向する端部側が接続されて一本の貫通溝（以下、「第一の貫通溝」（例えば、第一の貫通溝７２５）という。）が形成され、
前記第三の溝および前記第四の溝の端部のうち対向する端部側が接続されて一本の貫通溝（以下、「第二の貫通溝」（例えば、第二の貫通溝７３１）という。）が形成され、
前記破断容易部は、前記第一の貫通溝と前記第二の貫通溝とが交差して形成された交差部（例えば、第一の交差部７３３）を有しているものであり、
前記第一の貫通溝および前記第二の貫通溝の各溝の断面形状は、Ｖ字形状であり（例えば、図１３（ｂ）参照）、
前記交差部の中心は、Ｖ字形状の前記第一の貫通溝とＶ字形状の前記第二の貫通溝とが交差して形成された交差点に位置しているものである（例えば、図１３（ａ）参照）ことを特徴とする遊技台。
（１６）
遊技に関する制御を行う制御回路（例えば、基本回路４０２、駆動回路４２２、基本回路５０２、駆動回路５３０）を搭載した制御基板（例えば、第１副基板２２２、第２副基板２２４）と、
前記制御基板を収容する基板ケース（例えば、副制御基板収納ケース２２０）と、を備えた遊技台であって、
前記基板ケースは、前記制御基板を収容した基板収容部（例えば、副制御基板収納部２２３）と、該基板収容部に比べて破断容易な破断容易部（例えば、第一の破断容易部７１１、第二の破断容易部７６１）とを有しているものであり、
前記破断容易部は、第一の仮想直線（例えば、第一の仮想直線Ｌ１）に沿って設けられた第一の溝（例えば、第一の溝７６７）および第二の溝（例えば、第二の溝７６９）と、該第一の仮想直線の延びる方向とは異なる方向（例えば、直交する方向）に延びる第二の仮想直線（例えば、第二の仮想直線Ｌ２）に沿って設けられた第三の溝（例えば、第三の溝７７１）および第四の溝（例えば、第四の溝７７３）とを有しているものであり、
前記第一の溝は、前記第二の仮想直線に対して前記第二の溝の反対側に設けられたものであり、
前記第三の溝は、前記第一の仮想直線に対して前記第四の溝の反対側に設けられたものであり、
前記第一の溝（例えば、第一の溝７６７）は、前記第二の溝（例えば、第二の溝７６９）と対向する第一の対向端部（例えば、第一の対向端部７６７ａ）を有しているものであり、
前記第二の溝は、前記第一の溝と対向する第二の対向端部（例えば、第二の対向端部７６９ａ）を有しているものであり、
前記破断容易部は、前記第一の対向端部と前記第二の対向端部との間に、溝が形成されておらず表面が平坦な第一の平坦部（例えば、第一の平坦部７７５）を有しているものであり、
前記第三の溝（例えば、第三の溝７７１）は、前記第四の溝（例えば、第四の溝７７３）と対向する第三の対向端部（例えば、第三の対向端部７７１ａ）を有しているものであり、
前記第四の溝は、前記第三の溝と対向する第四の対向端部（例えば、第四の対向端部７７３ａ）を有しているものであり、
前記破断容易部は、前記第三の対向端部と前記第四の対向端部との間に、溝が形成されておらず表面が平坦な第二の平坦部（例えば、第二の平坦部７７６）を有しているものであることを特徴とする遊技台。
【０２３３】
本発明は、上記実施例に限らず種々の変形が可能である。
例えば、上記実施の形態では、副制御基板を収納した副制御基板収納ケース２２０に本発明を適用したが、これに限らず、主制御基板を収納した主制御基板収納ケース２１０に本発明を適用してもよい。
【０２３４】
また、上記実施の形態では、第一の破断容易部７１１と第二の破断容易部７６１は、副制御基板収納部２２３に別体として固定されるようにしているが、これに限定されるものではなく、副制御基板収納部２２３に一体として形成されるようにしてもよい。
【０２３５】
また、例えば、上述においてランプと称したものは、発光手段の一例であり、ランプは、ＬＥＤ、冷陰極管等の光を発するものであれば置換可能である。
【０２３６】
なお、上記詳細な説明で説明した事項は組み合わせることが可能である。
【０２３７】
上記実施の形態では、遊技台の例としてスロットマシンを用いたが本発明はこれに限られない。本発明は、図２３に示すようなパチンコ機１０００にも適用可能である。図２３は、パチンコ機１０００を正面側（遊技者側）から見た外観斜視図である。
【０２３８】
＜全体構成＞
まず、図２３を用いて、パチンコ機１０００の全体構成について説明する。
パチンコ機１０００は、外部的構造として、外枠１００２と、本体１００４と、前面枠扉１００６と、球貯留皿付扉１００８と、発射装置１０１０と、遊技盤２０００と、をその前面に備える。
【０２３９】
外枠１００２は、遊技機設置営業店に設けられた設置場所（島設備等）へと固定させるための縦長方形状からなる木製の枠部材である。
【０２４０】
本体１００４は、外枠１００２の内部に備えられ、ヒンジ部１０１２を介して外枠１００２に回動自在に装着された縦長方形状の遊技機基軸体となる部材である。また、本体１００４は、枠状に形成され、内側に空間部１０１４を有している。また、本体１００４が開放された場合、本体１００４の開放を検出する不図示の内枠開放センサを備える。
【０２４１】
前面枠扉１００６は、ロック機能付きで且つ開閉自在となるようにパチンコ機１０００の前面側となる本体１００４の前面に対しヒンジ部１０１２を介して装着され、枠状に構成されることでその内側を開口部１０１６とした扉部材である。なお、この前面枠扉１００６には、開口部１０１６にガラス製又は樹脂製の透明板部材１０１８が設けられ、前面側には、スピーカ１０２０や枠ランプ１０２２が取り付けられている。前面枠扉１００６の後面と遊技盤２０００の前面とで遊技領域１０２４を区画形成する。また、前面枠扉１００６が開放された場合、前面枠扉１００６の開放を検出する不図示の前面枠扉開放センサを備える。
【０２４２】
球貯留皿付扉１００８は、パチンコ機１０００の前面において本体１００４の下側に対して、ロック機能付きで且つ開閉自在となるように装着された扉部材である。球貯留皿付扉１００８は、複数の遊技球（以下、単に「球」と称する場合がある）が貯留可能で且つ発射装置１０１０へと遊技球を案内させる通路が設けられている上皿１０２６と、上皿１０２６に貯留しきれない遊技球を貯留する下皿１０２８と、遊技者の操作によって上皿１０２６に貯留された遊技球を下皿１０２８へと排出させる球抜ボタン１０３０と、遊技者の操作によって下皿１０２８に貯留された遊技球を遊技球収集容器（俗称、ドル箱）へと排出させる球排出レバー１０３２と、遊技者の操作によって発射装置１０１０へと案内された遊技球を遊技盤２０００の遊技領域１０２４へと打ち出す球発射ハンドル１０３４と、遊技者の操作によって各種演出装置２００６の演出態様に変化を与えるチャンスボタン１０３６と、チャンスボタン１０３６を発光させるチャンスボタンランプ１０３８と、遊技店に設置されたカードユニット（ＣＲユニット）に対して球貸し指示を行う球貸操作ボタン１０４０と、カードユニットに対して遊技者の残高の返却指示を行う返却操作ボタン１０４２と、遊技者の残高やカードユニットの状態を表示する球貸表示部１０４４と、を備える。また、下皿１０２８が満タンであることを検出する不図示の下皿満タンセンサを備える。
【０２４３】
発射装置１０１０は、本体１００４の下方に取り付けられ、球発射ハンドル１０３４が遊技者に操作されることによって回動する発射杆１０４６と、遊技球を発射杆１０４６の先端で打突する発射槌１０４８と、を備える。
遊技盤２０００は、前面に遊技領域１０２４を有し、本体１００４の空間部１０１４に臨むように、所定の固定部材を用いて本体１００４に着脱自在に装着されている。なお、遊技領域１０２４は、遊技盤２０００を本体１００４に装着した後、開口部１０１６から観察することができる。
【０２４４】
図２４は、図２３のパチンコ機１０００を背面側から見た外観図である。
パチンコ機１０００の背面上部には、上方に開口した開口部１０１６を有し、遊技球を一時的に貯留するための球タンク１０５０と、この球タンク１０５０の下方に位置し、球タンク１０５０の底部に形成した連通孔を通過して落下する球を背面右側に位置する払出装置１０５２に導くためのタンクレール１０５４とを配設している。
【０２４５】
払出装置１０５２は、筒状の部材からなり、その内部には、不図示の払出モータとスプロケットと払出センサとを備えている。
スプロケットは、払出モータによって回転可能に構成されており、タンクレール１０５４を通過して払出装置１０５２内に流下した遊技球を一時的に滞留させると共に、払出モータを駆動して所定角度だけ回転することにより、一時的に滞留した遊技球を払出装置１０５２の下方へ１個ずつ送り出すように構成している。
【０２４６】
払出センサは、スプロケットが送り出した遊技球の通過を検知するためのセンサであり、遊技球が通過しているときにハイまたはローの何れか一方の信号を、遊技球が通過していないときはハイまたはローの何れか他方の信号を払出制御部（不図示）へ出力する。なお、この払出センサを通過した遊技球は、不図示の球レールを通過してパチンコ機１０００の表側に配設した上皿１０２６に到達するように構成しており、パチンコ機１０００は、この構成により遊技者に対して球の払い出しを行う。
【０２４７】
払出装置１０５２の図中左側には、遊技全般の制御処理を行う主制御部（不図示）を構成する主基板１０５６を収納する主基板ケース１０５８、主制御部が生成した処理情報に基づいて演出に関する制御処理を行う第１副制御部（不図示）を構成する第１副基板１０６０を収納する第１副基板ケース１０６２、第１副制御部が生成した処理情報に基づいて演出に関する制御処理を行う第２副制御部（不図示）を構成する第２副基板１０６４を収納する第２副基板ケース１０６６、遊技球の払出に関する制御処理を行う払出制御部を構成するとともに遊技店員の操作によってエラーを解除するエラー解除スイッチ１０６８を備える払出基板１０７０を収納する払出基板ケース１０７２、遊技球の発射に関する制御処理を行う発射制御部（不図示）を構成する発射基板１０７４を収納する発射基板ケース１０７６、各種電気的遊技機器に電源を供給する電源管理部（不図示）を構成するとともに遊技店員の操作によって電源をオンオフする電源スイッチ１０７８と電源投入時に操作されることによってＲＷＭクリア信号を主制御部に出力するＲＷＭクリアスイッチ１０８０とを備える電源基板１０８２を収納する電源基板ケース１０８４、および払出制御部とカードユニットとの信号の送受信を行うＣＲインタフェース部１０８６を配設している。
【０２４８】
本発明は、遊技台としてスロットマシンおよびパチンコ機を例にあげたが、これに限るものではなく、アレンジボール遊技機や、じゃん球遊技機、スマートボール等に適用してもよい。
【０２４９】
上記実施の形態の遊技台は、例えば以下のように表現される。
（付記１）
遊技に関する制御を行う制御回路を搭載した制御基板と、
前記制御基板を収容する基板ケースと、を備えた遊技台であって、
前記基板ケースは、前記制御基板を収容した基板収容部と、該基板収容部に比べて破断容易な破断容易部とを有しているものであり、
前記破断容易部は、第一の仮想直線に沿って設けられた第一の溝および第二の溝と、該第一の仮想直線の延びる方向とは異なる方向に延びる第二の仮想直線に沿って設けられた第三の溝および第四の溝とを有しているものであり、
前記第一の溝は、前記第二の仮想直線に対して前記第二の溝の反対側に設けられたものであり、
前記第三の溝は、前記第一の仮想直線に対して前記第四の溝の反対側に設けられたものであることを特徴とする遊技台。
（付記２）
付記１に記載の遊技台であって、
前記第一の溝および前記第二の溝の端部のうち対向する端部側が接続されて一本の貫通溝（以下、「第一の貫通溝」という。）が形成され、
前記第三の溝および前記第四の溝の端部のうち対向する端部側が接続されて一本の貫通溝（以下、「第二の貫通溝」という。）が形成され、
前記破断容易部は、前記第一の貫通溝と前記第二の貫通溝とが交差して形成された第一の交差部を有しているものであることを特徴とする遊技台。
（付記３）
付記２に記載の遊技台であって、
前記破断容易部は、さらに第二の交差部を有しているものであり、
前記第二の交差部は、前記第一の貫通溝と前記第二の貫通溝とは異なる第三の貫通溝と第四の貫通溝とが交差して形成されたものであり、
前記第一の貫通溝乃至前記第四の貫通溝は、前記第一の交差部から前記第二の交差部に延びる第三の仮想直線の延びる方向とは異なる方向に延びるものであることを特徴とする遊技台。
（付記４）
付記３に記載の遊技台であって、
前記破断容易部は、前記第一の交差部と前記第二の交差部とは異なる位置に設けられた第三の交差部を有しているものであり、
前記第三の交差部は、二本の貫通溝が交差して形成されたものであり、
前記第三の交差部は、前記第三の仮想直線の上に配置されたものであり、
前記二本の貫通溝は、前記第一の貫通溝乃至前記第四の貫通溝とは異なるものであり、
前記二本の貫通溝は、前記第三の仮想直線の延びる方向とは異なる方向に延びるものであることを特徴とする遊技台。
（付記５）
付記１に記載の遊技台であって、
前記第一の溝は、前記第二の溝と対向する第一の対向端部を有しているものであり、
前記第二の溝は、前記第一の溝と対向する第二の対向端部を有しているものであり、
前記破断容易部は、前記第一の対向端部と前記第二の対向端部との間に、溝が形成されておらず表面が平坦な第一の平坦部を有しているものであり、
前記第三の溝は、前記第四の溝と対向する第三の対向端部を有しているものであり、
前記第四の溝は、前記第三の溝と対向する第四の対向端部を有しているものであり、
前記破断容易部は、前記第三の対向端部と前記第四の対向端部との間に、溝が形成されておらず表面が平坦な第二の平坦部を有しているものであることを特徴とする遊技台。
（付記６）
付記５に記載の遊技台であって、
前記第一の対向端部は、前記第二の仮想直線に向かって突出する第一の突端部を有しているものであり、
前記第二の対向端部は、前記第二の仮想直線に向かって突出する第二の突端部を有しているものであり、
前記第三の対向端部は、前記第一の仮想直線に向かって突出する第三の突端部を有しているものであり、
前記第四の対向端部は、前記第一の仮想直線に向かって突出する第四の突端部を有しているものであることを特徴とする遊技台。
（付記７）
付記６に記載の遊技台であって、
前記第一の溝は、前記第一の仮想直線の延びる方向に見て対向する二つの斜平面が交わる第一の底部を有しているものであり、
前記第一の突端部は、前記第一の対向端部が前記第一の底部と交わる位置に設けられたものであり、
前記第二の溝は、前記第一の仮想直線の延びる方向に見て対向する二つの斜平面が交わる第二の底部を有しているものであり、
前記第二の突端部は、前記第二の対向端部が前記第二の底部と交わる位置に設けられたものであり、
前記第三の溝は、前記第二の仮想直線の延びる方向に見て対向する二つの斜平面が交わる第三の底部を有しているものであり、
前記第三の突端部は、前記第三の対向端部が前記第三の底部と交わる位置に設けられたものであり、
前記第四の溝は、前記第二の仮想直線の延びる方向に見て対向する二つの斜平面が交わる第四の底部を有しているものであり、
前記第四の突端部は、前記第四の対向端部が前記第四の底部と交わる位置に設けられたものであることを特徴とする遊技台。
（付記８）
付記５乃至７のいずれか一項に記載の遊技台であって、
前記第一の対向端部は、前記第一の仮想直線に平行で前記第一の平坦部の前記表面に直交する平面で前記第一の溝および該第一の平坦部を切断した断面において、該第一の溝の溝表面に対して直交する部分を有しているものであり、
前記第二の対向端部は、前記第一の仮想直線に平行で前記第一の平坦部の前記表面に直交する平面で前記第二の溝および該第一の平坦部を切断した断面において、該第二の溝の溝表面に対して直交する部分を有しているものであり、
前記第三の対向端部は、前記第二の仮想直線に平行で前記第二の平坦部の前記表面に直交する平面で前記第三の溝および該第二の平坦部を切断した断面において、該第三の溝の溝表面に対して直交する部分を有しているものであり、
前記第四の対向端部は、前記第二の仮想直線に平行で前記第二の平坦部の前記表面に直交する平面で前記第四の溝および該第二の平坦部を切断した断面において、該第四の溝の溝表面に対して直交する部分を有しているものであることを特徴とする遊技台。
（付記９）
付記１乃至８のいずれか一項に記載の遊技台であって、
前記破断容易部は、板状部を有しているものであり、
前記板状部は、前記基板収容部に固定されたものであることを特徴とする遊技台。
（付記１０）
遊技に関する制御を行う制御回路を搭載した制御基板と、
前記制御基板を収容する基板ケースと、を備えた遊技台であって、
前記基板ケースは、前記制御基板を収容した基板収容部と、該基板収容部に比べて破断容易な破断容易部とを有しているものであり、
前記破断容易部は、第一の仮想直線に沿って設けられた第一の溝および第二の溝と、該第一の仮想直線の延びる方向とは異なる方向に延びる第二の仮想直線に沿って設けられた第三の溝および第四の溝とを有しているものであり、
前記第一の溝は、前記第二の仮想直線に対して前記第二の溝の反対側に設けられたものであり、
前記第三の溝は、前記第一の仮想直線に対して前記第四の溝の反対側に設けられたものであり、
前記第一の溝および前記第二の溝の端部のうち対向する端部側が接続されて一本の貫通溝（以下、「第一の貫通溝」という。）が形成され、
前記第三の溝および前記第四の溝の端部のうち対向する端部側が接続されて一本の貫通溝（以下、「第二の貫通溝」という。）が形成され、
前記破断容易部は、前記第一の貫通溝と前記第二の貫通溝とが交差して形成された交差部を有しているものであり、
前記第一の貫通溝および前記第二の貫通溝の各溝の断面形状は、Ｖ字形状であり、
前記交差部の中心は、Ｖ字形状の前記第一の貫通溝とＶ字形状の前記第二の貫通溝とが交差して形成された交差点に位置しているものであることを特徴とする遊技台。
（付記１１）
遊技に関する制御を行う制御回路を搭載した制御基板と、
前記制御基板を収容する基板ケースと、を備えた遊技台であって、
前記基板ケースは、前記制御基板を収容した基板収容部と、該基板収容部に比べて破断容易な破断容易部とを有しているものであり、
前記破断容易部は、第一の仮想直線に沿って設けられた第一の溝および第二の溝と、該第一の仮想直線の延びる方向とは異なる方向に延びる第二の仮想直線に沿って設けられた第三の溝および第四の溝とを有しているものであり、
前記第一の溝は、前記第二の仮想直線に対して前記第二の溝の反対側に設けられたものであり、
前記第三の溝は、前記第一の仮想直線に対して前記第四の溝の反対側に設けられたものであり、
前記第一の溝は、前記第二の溝と対向する第一の対向端部を有しているものであり、
前記第二の溝は、前記第一の溝と対向する第二の対向端部を有しているものであり、
前記破断容易部は、前記第一の対向端部と前記第二の対向端部との間に、溝が形成されておらず表面が平坦な第一の平坦部を有しているものであり、
前記第三の溝は、前記第四の溝と対向する第三の対向端部を有しているものであり、
前記第四の溝は、前記第三の溝と対向する第四の対向端部を有しているものであり、
前記破断容易部は、前記第三の対向端部と前記第四の対向端部との間に、溝が形成されておらず表面が平坦な第二の平坦部を有しているものであることを特徴とする遊技台。
【符号の説明】
【０２５０】
１００  スロットマシン
２２０  副制御基板収納ケース
２２２  第１副基板
２２３  副制御基板収納部
２２３ａ  ベース部材
２２３ｂ  蓋部材
２２４  第２副基板
７１１  第一の破断容易部
７１２、７６２  板状部
７２１、７６７  第一の溝
７２３、７６９  第二の溝
７２５  第一の貫通溝
７２７、７７１  第三の溝
７２９、７７３  第四の溝
７３１  第二の貫通溝
７３３  第一の交差部
７４１  第三の貫通溝
７４３  第四の貫通溝
７４５  第二の交差部
７５１  第三の交差部
７６１  第二の破断容易部
７６７ａ  第一の対向端部
７６７ｂ  第一の突端部
７６９ａ  第二の対向端部
７６９ｂ  第二の突端部
７７１ａ  第三の対向端部
７７１ｂ  第三の突端部
７７３ａ  第四の対向端部
７７３ｂ  第四の突端部
７７５  第一の平坦部
７７６  第二の平坦部
１０００  パチンコ機
【図１】
0006528096.tif 000002
【図２】
0006528096.tif 000003
【図３】
0006528096.tif 000004
【図４】
0006528096.tif 000005
【図５】
0006528096.tif 000006
【図６】
0006528096.tif 000007
【図７】
0006528096.tif 000008
【図８】
0006528096.tif 000009
【図９】
0006528096.tif 000010
【図１０】
0006528096.tif 000011
【図１１】
0006528096.tif 000012
【図１２】
0006528096.tif 000013
【図１３】
0006528096.tif 000014
【図１４】
0006528096.tif 000015
【図１５】
0006528096.tif 000016
【図１６】
0006528096.tif 000017
【図１７】
0006528096.tif 000018
【図１８】
0006528096.tif 000019
【図１９】
0006528096.tif 000020
【図２０】
0006528096.tif 000021
【図２１】
0006528096.tif 000022
【図２２】
0006528096.tif 000023
【図２３】
0006528096.tif 000024
【図２４】
0006528096.tif 000025